(57)【特許請求の範囲】
【請求項１】
減圧によって組織部位を治療するシステムにおいて、前記システムが：
前記組織部位に近接して配置されるドレッシングであって、前記組織部位に近接して配置されるインターフェース分配マニホールドと、ドレッシングシール部材と、減圧インターフェースとを含むドレッシングと；
前記ドレッシングに流体的に結合されたポンプであって、
ＲＦＩＤアンテナ、
前記ＲＦＩＤアンテナに結合された第１のプロセッサ、
前記第１のプロセッサに結合されてそこから電力を受信しかつ減圧を発生させるマイクロポンプ装置、
第１のポンプシール部材および第２のポンプシール部材であって、少なくとも部分的に結合して、前記マイクロポンプ装置が配置されるポンプ用パウチを形成する第１のポンプシール部材および第２のポンプシール部材、および
前記マイクロポンプ装置に流体的に結合された液溜め
を含むポンプと；
ＲＦＩＤリーダを有するベースユニットと；
を含み、
前記ＲＦＩＤリーダが、前記ＲＦＩＤアンテナに電力をもたらし、前記マイクロポンプ装置に電力供給を行うように構成されることを特徴とする、システム。
【請求項２】
請求項１に記載のシステムにおいて、前記ポンプには、前記ＲＦＩＤアンテナ以外の動力源が設置されていないことを特徴とする、システム。
【請求項３】
請求項１に記載のシステムにおいて、前記ポンプが、前記ドレッシングおよび前記第１のプロセッサに流体的に結合されて前記組織部位における圧力を感知する圧力感知装置をさらに含むことを特徴とする、システム。
【請求項４】
請求項１に記載のシステムにおいて、
前記ポンプが、前記第１のプロセッサに結合された圧力感知装置をさらに含み、
前記ベースユニットが、前記ＲＦＩＤリーダに結合された第２のプロセッサを含み、および
前記第２のプロセッサおよび前記ＲＦＩＤリーダが、前記ポンプの前記第１のプロセッサに圧力問合せ信号を送信しかつそれに応答して前記第１のプロセッサから圧力メッセージ信号を受信するように構成されることを特徴とする、システム。
【請求項５】
請求項１に記載のシステムにおいて、
前記ポンプが、前記第１のプロセッサに結合された圧力感知装置をさらに含み、
前記ベースユニットが、前記ＲＦＩＤリーダに結合された第２のプロセッサを含み、
前記第２のプロセッサおよび前記ＲＦＩＤリーダが、前記ポンプの前記第１のプロセッサに圧力問合せ信号を送信しかつそれに応答して前記第１のプロセッサから圧力メッセージ信号を受信するように構成され、
前記第１のプロセッサおよび前記圧力感知装置が、前記圧力問合せ信号に応答して前記圧力メッセージ信号を準備するように構成され、
前記第１のプロセッサおよび前記ＲＦＩＤアンテナが、前記圧力メッセージ信号を送信するように構成され、および
前記第２のプロセッサが、前記圧力メッセージ信号を受信し、制御信号を準備するように構成され、および前記第２のプロセッサおよび前記ＲＦＩＤリーダが、前記ポンプに前記制御信号を送信して、前記マイクロポンプ装置を作動または動作停止させるように構成されていることを特徴とする、システム。
【請求項６】
請求項１に記載のシステムにおいて、
前記ポンプが、前記第１のプロセッサに結合された圧力感知装置をさらに含み、
前記圧力感知装置が、圧力メッセージ信号を生成するように動作可能であり、および
前記第１のプロセッサが、前記圧力メッセージ信号を受信しかつ制御信号を生成して前記マイクロポンプ装置を作動させるまたはその動作を停止させるように動作可能であることを特徴とする、システム。
【請求項７】
請求項１に記載のシステムにおいて、
前記ドレッシングおよび前記第１のプロセッサに流体的に結合されて前記組織部位における圧力を感知する圧力感知装置と；
第１の分配マニホールドと、
吸収層と、
ダイバータ層と
をさらに含み、
前記第１の分配マニホールド、前記吸収層、および前記ダイバータ層が、前記ポンプ用パウチ内に配置され；
前記マイクロポンプ装置が圧電ポンプを含むことを特徴とする、システム。
【請求項８】
組織部位を治療する減圧システムの製造方法において、前記方法が：
前記組織部位に近接して配置されるドレッシングを提供するステップであって、前記ドレッシングが、前記組織部位に近接して配置されるインターフェース分配マニホールドと、ドレッシングシール部材と、減圧インターフェースとを含む、ステップと；
ポンプを提供するステップであって、前記ポンプが：
ＲＦＩＤアンテナ、
前記ＲＦＩＤアンテナに結合された第１のプロセッサ、
前記第１のプロセッサに結合されてそこから電力を受信しかつ減圧を発生させるマイクロポンプ装置、
第１のポンプシール部材および第２のポンプシール部材であって、少なくとも部分的に結合して、前記マイクロポンプ装置が配置されるポンプ用パウチを形成する第１のポンプシール部材および第２のポンプシール部材、および
前記マイクロポンプ装置に流体的に結合された液溜め
を含むステップと；
ＲＦＩＤリーダを有するベースユニットを提供するステップと
を含み、
前記ＲＦＩＤリーダが、前記ＲＦＩＤアンテナに電力をもたらし、前記マイクロポンプ装置に電力供給を行うように構成されていることを特徴とする、方法。
【請求項９】
請求項８に記載の製造方法において、前記ポンプを前記ドレッシングに流体的に結合する減圧導管を設けるステップをさらに含むことを特徴とする、方法。
【請求項１０】
請求項８に記載の製造方法において、圧力感知装置を提供するステップと、前記圧力感知装置を前記ドレッシングに結合するステップとをさらに含むことを特徴とする、方法。
【請求項１１】
ポンプにおいて、
ＲＦＩＤアンテナと；
前記ＲＦＩＤアンテナに結合された第１のプロセッサと；
前記第１のプロセッサに結合されてそこから電力を受信しかつ減圧を発生させるマイクロポンプ装置と；
第１のポンプシール部材および第２のポンプシール部材であって、少なくとも部分的に結合して、前記マイクロポンプ装置が配置されるポンプ用パウチを形成する第１のポンプシール部材および第２のポンプシール部材と
を含み、
当該ポンプが、ドレッシングに流体的に結合されており、前記ドレッシングが、組織部位に近接して配置されるインターフェース分配マニホールドと、ドレッシングシール部材と、減圧インターフェースとを含むものであることを特徴とする、ポンプ。
【請求項１２】
請求項１１に記載のポンプにおいて、前記マイクロポンプ装置に流体的に結合された液溜めをさらに含むことを特徴とする、ポンプ。
【請求項１３】
請求項１１または１２に記載のポンプにおいて、前記ＲＦＩＤアンテナ以外の動力源が設置されていないことを特徴とする、ポンプ。
【請求項１４】
請求項１１に記載のポンプにおいて、前記ドレッシングおよび前記第１のプロセッサに流体的に結合されて前記組織部位における圧力を感知する圧力感知装置をさらに含むことを特徴とする、ポンプ。
【請求項１５】
請求項１１に記載のポンプにおいて、
前記ポンプが、前記第１のプロセッサに結合された圧力感知装置をさらに含み；
ＲＦＩＤリーダに結合された第２のプロセッサを含むベースユニットをさらに含み；および
前記第２のプロセッサおよび前記ＲＦＩＤリーダが、前記ポンプの前記第１のプロセッサに圧力問合せ信号を送信しかつそれに応答して前記第１のプロセッサから圧力メッセージ信号を受信するように構成されていることを特徴とする、ポンプ。
【請求項１６】
請求項１１に記載のポンプにおいて、
前記ポンプが、前記第１のプロセッサに結合された圧力感知装置をさらに含み、
ＲＦＩＤリーダに結合された第２のプロセッサを含むベースユニットをさらに含み、
前記第２のプロセッサおよび前記ＲＦＩＤリーダが、前記ポンプの前記第１のプロセッサに圧力問合せ信号を送信しかつそれに応答して前記第１のプロセッサから圧力メッセージ信号を受信するように構成され、
前記第１のプロセッサおよび前記圧力感知装置が、前記圧力問合せ信号に応答して前記圧力メッセージ信号を準備するように構成され、
前記第１のプロセッサおよび前記ＲＦＩＤアンテナが、前記圧力メッセージ信号を送信するように構成され、および
前記第２のプロセッサが、前記圧力メッセージ信号を受信し、制御信号を準備するように構成され、および前記第２のプロセッサおよび前記ＲＦＩＤリーダが、前記ＲＦＩＤアンテナに前記制御信号を送信して、前記マイクロポンプ装置を作動または動作停止させるように構成されていることを特徴とする、ポンプ。
【請求項１７】
請求項１１に記載のポンプにおいて、
前記ポンプが、前記第１のプロセッサに結合された圧力感知装置をさらに含み、
前記圧力感知装置が、圧力メッセージ信号を生成するように動作可能であり、および
前記第１のプロセッサが、前記圧力メッセージ信号を受信しかつ制御信号を生成して、前記マイクロポンプ装置を作動させるまたはその動作を停止させるように動作可能であることを特徴とする、ポンプ。
【発明の詳細な説明】
【技術分野】
【０００１】
関連出願の相互参照
本発明は、３５ＵＳＣ§１１９（ｅ）下において、２０１０年１０月２７日出願の米国仮特許出願第６１／４０７，１９４号（「Ｓｙｓｔｅｍ  ａｎｄ  Ｍｅｔｈｏｄｓ  Ｆｏｒ  Ｅｌｅｃｔｒｉｃａｌｌｙ  Ｄｅｔｅｃｔｉｎｇ  Ｔｈｅ  Ｐｒｅｓｅｎｃｅ  ｏｆ  Ｅｘｕｄａｔｅ  Ｉｎ  Ｒｅｄｕｃｅｄ−Ｐｒｅｓｓｕｒｅ  Ｄｒｅｓｓｉｎｇｓ」（あらゆる目的のために本願明細書に援用する）［ＶＡＣ．０９７５ＰＲＯ１］；２０１０年１２月１日出願の米国仮特許出願第６１／４１８，７３０号（「Ｓｙｓｔｅｍｓ  ａｎｄ  Ｍｅｔｈｏｄｓ  ｆｏｒ  Ｅｌｅｃｔｒｉｃａｌｌｙ  Ｄｅｔｅｃｔｉｎｇ  ｔｈｅ  Ｐｒｅｓｅｎｃｅ  ｏｆ  Ｅｘｕｄａｔｅ  ｉｎ  Ｄｒｅｓｓｉｎｇｓ」（あらゆる目的のために本願明細書に援用する）［ＶＡＣ．０９７５ＰＲＯ２］；２０１１年２月２２日出願の米国仮特許出願第６１／４４５，３８３号（「Ｉｎｔｅｒａｃｔｉｖｅ，  Ｗｉｒｅｌｅｓｓ  Ｒｅｄｕｃｅｄ−Ｐｒｅｓｓｕｒｅ  Ｄｒｅｓｓｉｎｇｓ，  Ｍｅｔｈｏｄｓ，  ａｎｄ  Ｓｙｓｔｅｍｓ」（あらゆる目的のために本願明細書に援用する）［ＶＡＣ．０９９９ＰＲＯ］；および２０１１年２月２２日出願の米国仮特許出願第６１／４４５，３３８号（「Ｒｅｄｕｃｅｄ−Ｐｒｅｓｓｕｒｅ  Ｓｙｓｔｅｍｓ，  Ｄｒｅｓｓｉｎｇｓ，  ａｎｄ  Ｍｅｔｈｏｄｓ  Ｅｍｐｌｏｙｉｎｇ  ａ  Ｗｉｒｅｌｅｓｓ  Ｐｕｍｐ」（あらゆる目的のために本願明細書に援用する）［ＶＡＣ．１０００ＰＲＯ］の利益を主張する。
【０００２】
本開示は、概して治療システムに関し、より詳細には、限定するものではないが、組織部位に減圧を行うポンプに無線で電力を供給することを含むシステム、ドレッシング、および方法に関する。
【背景技術】
【０００３】
臨床試験および実習において、組織部位に近接して減圧をもたらすことによって、組織部位における新しい組織の増殖を増強および加速することが示されている。この現象の適用例は多数あるが、減圧を行うことは、創傷の治療においてかなり成功している。この治療（医学界では「陰圧閉鎖療法」、「減圧療法」、または「真空療法」と呼ばれることが多い）は、いくつもの利点を提供し、それら利点には、迅速な治癒、および肉芽組織の形成加速化が含まれ得る。一般に、減圧は、開放創に行われるとき、多孔質パッドまたは他のマニホールド装置を通して組織に行われる。多孔質パッドは、減圧を組織に分配し、および組織から引き出された流体を送る。減圧はまた、腹腔などの体洞から流体を除去するのにも使用し得る。
【発明の概要】
【０００４】
例示的実施形態によれば、減圧によって組織部位を治療するシステムは、組織部位に近接して配置される減圧ドレッシングと、減圧ドレッシングに流体的に結合された無線減圧ポンプとを含む。無線減圧ポンプは、無線周波数認証（ＲＦＩＤ：Ｒａｄｉｏ  Ｆｒｅｑｕｅｎｃｙ  Ｉｄｅｎｔｉｆｉｃａｔｉｏｎ）アンテナと、ＲＦＩＤアンテナに結合された第１のプロセッサと、電力を受信しかつ減圧を発生させるためにプロセッサに結合されたマイクロポンプ装置と、第１のポンプシール部材と、液溜めと、第２のポンプシール部材とを含む。第１のポンプシール部材および第２のポンプシールは、少なくとも部分的に結合されて、マイクロポンプが配置されるポンプ用パウチを形成する。このシステムは、ＲＦＩＤリーダを有するベースユニットをさらに含む。ＲＦＩＤリーダは、ＲＦＩＤアンテナに電力をもたらし、マイクロポンプに電力供給を行うように構成される。
【０００５】
別の例示的実施形態によれば、減圧によって患者の組織部位を治療するシステムの製造方法は、組織部位に近接して配置される減圧ドレッシングを提供するステップと、無線減圧ポンプを提供するステップとを含む。無線減圧ポンプは、ＲＦＩＤアンテナと、ＲＦＩＤアンテナに結合された第１のプロセッサと、電力を受信しかつ減圧を発生させるために第１のプロセッサに結合されたマイクロポンプ装置と、第１のポンプシール部材と、液溜めと、第２のポンプシール部材とを含む。第１のポンプシール部材および第２のポンプシールは、少なくとも部分的に結合されて、マイクロポンプが配置されるポンプ用パウチを形成する。この方法は、無線減圧ポンプを減圧ドレッシングに流体的に結合するために減圧供給導管を設けるステップをさらに含み得る。この方法は、ＲＦＩＤリーダを有するベースユニットを提供するステップをさらに含む。ＲＦＩＤリーダは、ＲＦＩＤアンテナに電力をもたらし、マイクロポンプに電力供給を行うように構成される。
【０００６】
別の例示的実施形態によれば、減圧によって患者の組織部位を治療する方法は、組織部位に近接して減圧ドレッシングを配置するステップと、無線減圧ポンプを提供するステップとを含む。無線減圧ポンプは、ＲＦＩＤアンテナと、ＲＦＩＤアンテナに結合された第１のプロセッサと、電力を受信しかつ減圧を発生させるためにプロセッサに結合されたマイクロポンプ装置と、第１のポンプシール部材と、液溜めと、第２のポンプシール部材とを含む。第１のポンプシール部材および第２のポンプシールは、少なくとも部分的に結合されて、マイクロポンプが配置されるポンプ用パウチを形成する。この方法は、無線減圧ポンプを減圧ドレッシングに流体的に結合するステップと、ＲＦＩＤリーダおよび第２のプロセッサを有するベースユニットを提供するステップと、ベースユニットを作動させ、それにより、ＲＦＩＤリーダおよび第２のプロセッサが、無線減圧ポンプに作動信号を送信して、無線減圧ポンプを作動させるステップとをさらに含む。
【０００７】
別の例示的実施形態によれば、減圧によって組織部位を治療する減圧システムが、減圧ドレッシングを含む。減圧ドレッシングは、組織部位に近接して配置される第１の分配マニホールドと、第１の分配マニホールドから流体を受け取って保持する吸収層と、ＲＦＩＤアンテナと、ＲＦＩＤアンテナに結合された第１のプロセッサと、第１のプロセッサに結合されて、そこから電力を受信しかつ減圧を発生させるマイクロポンプとを含む。マイクロポンプは流入口および排出口を有する。このシステムはまた、組織部位およびマイクロポンプの上側を覆って密閉空間を形成する第１のシール部材と、マイクロポンプの排出口を外部に流体的に結合する通気口とを含む。このシステムは、ＲＦＩＤリーダを含むベースユニットをさらに含む。ベースユニットは、減圧ドレッシングにポンプ信号を供給してマイクロポンプを付勢するように動作可能である。
【０００８】
別の例示的実施形態によれば、減圧によって患者の組織部位を治療する方法が、組織部位に近接して無線減圧ドレッシングを配置するステップを含む。無線減圧ドレッシングは、組織部位に近接して配置される第１の分配マニホールドと、第１の分配マニホールドから流体を受け取って保持する吸収層と、ＲＦＩＤアンテナと、ＲＦＩＤアンテナに結合された第１のプロセッサと、第１のプロセッサに結合されて、そこから電力を受信しかつ減圧を発生させるマイクロポンプとを含む。マイクロポンプは、流入口および排出口と、組織部位およびマイクロポンプの上側を覆って密閉空間を形成する第１のシール部材と、マイクロポンプの排出口を外部に流体的に結合する通気口とを有する。この方法は、ＲＦＩＤリーダを含むベースユニットを提供するステップをさらに含む。ベースユニットは、無線減圧ドレッシングにポンプ信号を供給してマイクロポンプを付勢するように動作可能である。この方法はまた、ベースユニットを作動させて無線減圧ドレッシングにポンプ信号を供給するステップを含む。
【０００９】
例示的実施形態の他の特徴、および利点は、以下の図面および詳細な説明を参照することにより明らかとなる。
【図面の簡単な説明】
【００１０】
【図１】図１は、減圧によって組織部位を治療するシステムの例示的実施形態の一部分を断面で示す概略図である。
【図２】図２は、図１のシステムの一部として使用される無線減圧ポンプの例示的実施形態の概略的な分解斜視図である。
【図３】図３は、追加的な態様およびいくつかの代替例を示す図１のシステムの一部分を断面で示す概略図である。
【図４】図４は、無線減圧ポンプの例示的実施形態の概略的な部分断面図である。
【図５】図５は、図１にあるような減圧によって組織部位を治療するシステムの一部として使用するマイクロポンプ装置の例示的一実施形態の概略的な断面図である。
【図６】図６は、無線減圧ポンプの例示的実施形態の概略的な斜視図である。
【図７】図７は、無線減圧ポンプの別の例示的実施形態の概略的な断面図である。
【図８】図８は、図７の無線減圧ポンプの概略的な斜視図である。
【図９】図９は、減圧によって組織部位を治療する減圧システムの例示的実施形態の一部分を斜視図で示す概略図である。
【図１０】図１０は、線１０−１０に沿って取った図９に示す減圧ドレッシングの概略的な断面図である。
【図１１】図１１は、図９〜１０の減圧ドレッシングの概略的な分解斜視図である。
【図１２】図１２は、減圧によって組織部位を治療するシステムの例示的実施形態の概略的な断面図である。
【図１３】図１３は、減圧ドレッシングの別の例示的実施形態の概略的な分解斜視図である。
【発明を実施するための形態】
【００１１】
以下の例示的非限定的な実施形態の詳細な説明において、本明細書の一部をなす添付図面を参照する。これらの実施形態は、当業者が本発明を実施できるようにするのに十分な程度、詳細に説明し、および、本発明の趣旨または範囲から逸脱せずに、他の実施形態を使用し得ること、および論理的な構造上の、機械的な、電気的なおよび化学的な変更がなされ得ることが理解される。当業者が、本明細書で説明する実施形態を実施できるようにするのに必要ではない詳細を避けるために、説明では、当業者に公知の特定の情報を省略し得る。以下の詳細な説明は、限定的ととられるべきではなく、例示的実施形態の範囲は、添付の特許請求の範囲によってのみ定義される。
【００１２】
本明細書の例示的実施形態は、無線周波数認証（ＲＦＩＤ）または高性能タイプ（ｅｎｈａｎｃｅｄ  ｔｙｐｅ）の無線周波数認証（ＲＦＩＤ）技術を使用して、減圧ドレッシングにあるマイクロポンプ装置を付勢することを含む。ＲＦＩＤは、伝統的に、標的上にあるＲＦＩＤタグまたはラベルと、ＲＦＩＤタグを付勢してそこからの信号を読み取るＲＦＩＤリーダとを使用する。１つの一般的な例は料金タグである。ほとんどのＲＦＩＤタグは、情報を記憶しかつ処理する集積回路と、変調器と、復調器とを含む。ＲＦＩＤタグは、パッシブタグ、アクティブＲＦＩＤタグ、およびバッテリー付きパッシブタグとし得る。一般的に、パッシブタグは、バッテリーを使用せず、かつ、ＲＦＩＤリーダによって付勢されない限り、情報を送信しない。アクティブタグは搭載バッテリーを有して、自律的に（すなわち、ＲＦＩＤリーダによって付勢されずに）送信できる。バッテリー付きパッシブタグは、一般に、ＲＦＩＤリーダが存在することで起動される小型のバッテリーが搭載されている。ＲＦＩＤタグの性能を高めるために、減圧ドレッシングにマイクロコントローラおよびセンサが組み込まれてもよい。ＲＦＩＤタグ、マイクロコントローラおよびセンサは、感知機能、および任意選択的なコンピュータによる機能を可能にする。さらに、ＲＦＩＤタグおよびマイクロコントローラは、部分的にまたは完全にマイクロポンプに電力を供給する。
【００１３】
例示的一実施形態では、高性能ＲＦＩＤ技術は、ＷＩＳＰ（Ｗｉｒｅｌｅｓｓ  Ｉｄｅｎｔｉｆｉｃａｔｉｏｎ  ａｎｄ  Ｓｅｎｓｉｎｇ  Ｐｌａｔｆｏｒｍ）装置である。ＷＩＳＰは、ＲＦＩＤタグ（またはラベル）と似て、ＲＦＩＤリーダを用いてＷＩＳＰ装置に電力を供給しかつそれを読み取ることを含む。ＷＩＳＰ装置は、ＲＦＩＤリーダが発した無線信号から電力を得て、かつ感知機能を実行する（および任意選択的にコンピュータによる機能を実行する）。ＷＩＳＰ装置は、情報を備える無線信号をＲＦＩＤリーダに送信する。ＷＩＳＰ装置はＲＦＩＤリーダから電力を受信する。ＷＩＳＰ装置は、エネルギーを得るタグまたはアンテナと、サンプリングセンサなどの、様々なタスクを実行できるマイクロコントローラ（またはプロセッサ）とを有する。ＷＩＳＰ装置はＲＦＩＤリーダにデータを報告する。例示的一実施形態では、ＷＩＳＰ装置は、電力源（ｐｏｗｅｒ  ｈａｒｖｅｓｔｉｎｇ）回路を備える集積回路、復調器、変調器、マイクロコントローラ、センサを含み、かつエネルギーを蓄積するために１つ以上のコンデンサを含んでもよい。ＷＩＳＰ技術の一形態は、Ｉｎｔｅｌ  Ｒｅｓｅａｒｃｈ  Ｓｅａｔｔｌｅ（ｗｗｗ．ｓｅａｔｔｌｅ．ｉｎｔｅｌ−ｒｅｓｅａｒｃｈ．ｎｅｔ／ｗｉｓｐ／）によって開発された。本明細書では、ＲＦＩＤ装置はＷＩＳＰ装置も含む。
【００１４】
ここで図面、初めに図１〜５を参照して、減圧によって組織部位１０２、例えば創傷１０４、または空洞を治療するシステム１００の例示的実施形態を説明する。システム１００は、組織部位１０２に近接して配置される減圧ドレッシング１０６；減圧ドレッシング１０６に流体的に結合された無線減圧ポンプ１０８；およびＲＦＩＤリーダ１１２を有するベースユニット１１０を含む。無線減圧ポンプ１０８は、第１のＲＦＩＤアンテナ１１４およびマイクロポンプ装置１１６を含む。ＲＦＩＤリーダ１１２は、第１のＲＦＩＤアンテナ１１４に電力をもたらすポンプ信号を発生させかつ送信するように構成される。第１のＲＦＩＤアンテナ１１４によって受信されたポンプ信号によって、マイクロポンプ装置１１６に電力を供給する。マイクロポンプ装置１１６に遠くから電力供給することによって、いくつもの潜在的利益が提供される。これら利益には、適用が容易であることが含まれ得る。さらに、無線減圧ポンプ１０８は、内蔵型の使い捨てユニットとし得る。図示のシステム１００の潜在的な変形例のいくつかを示すために、図面間でいくらかの違いがあることに留意されたい。
【００１５】
システム１００は、様々な異なるタイプの組織部位１０２で使用し得る。組織部位１０２は、骨組織、脂肪組織、筋組織、皮膚組織、脈管組織、結合組織、軟骨、腱、靭帯、体洞、または任意の他の組織を含む、任意のヒト、動物、または他の生物の体の組織とし得る。組織部位１０２の治療は、流体、例えば滲出液や腹水の除去を含み得る。
【００１６】
無線減圧ポンプ１０８は第１のＲＦＩＤアンテナ１１４を含み、このＲＦＩＤアンテナは、導線１１９によって第１のプロセッサ１１８に結合される。第１のプロセッサ１１８は、マイクロポンプ装置１１６、すなわちマイクロポンプに結合されて、電力を受信する。第１のプロセッサ１１８はマイクロポンプ装置１１６に組み込まれてもよい。第１のプロセッサ１１８およびマイクロポンプ装置１１６は、ポンプ用パウチ１２０内に配置され得る。
【００１７】
ポンプ用パウチ１２０は、第１のポンプシール部材１２２を第２のポンプシール部材１２４に結合するように形成し得る。ポンプ用パウチ１２０はまた、ポリマーからポンプ用パウチ１２０を注入成形するなど、他の技術によって形成してもよい。ポンプ用パウチ１２０の少なくとも一部分は、組織部位１０２から流体１２７を受け取って保持する液溜め１２６を含む。マイクロポンプ装置１１６は、圧電ポンプ、蠕動ポンプ、または最小限の所要電力で減圧を生じさせる他の小型ポンプとし得る。第１のプロセッサ１１８は、圧力感知装置１３８から圧力メッセージ信号を受信するように動作可能である。圧力メッセージ信号の受信に応答して、第１のプロセッサ１１８は制御信号を生成して、マイクロポンプ装置１１６を作動させるまたはその動作を停止させる。圧力感知装置１３８は、変換器としてもよいし、または十分な減圧が存在すると作動される単純なスイッチとしてもよい。
【００１８】
主に図３を参照して説明すると、ベースユニット１１０は、ＲＦＩＤリーダ１１２に結合された第２のプロセッサ１２８を含む。コントロールパネル１３０（例えばユーザインターフェース）、第１のディスプレイ１３２、および電源１３４（例えば、バッテリーまたは電気的接続）も第２のプロセッサ１２８に結合され得る。ベースユニット１１０はベースハウジング１３６を含み得る。第２のプロセッサ１２８およびＲＦＩＤリーダ１１２は、信号１３７、例えばポンプ信号や圧力問合せ信号を、第１のＲＦＩＤアンテナ１１４に送信するように構成される。
【００１９】
減圧ポンプ１０８の第１のＲＦＩＤアンテナ１１４は、第１のプロセッサ１１８に、導線１１９によってまたは無線結合（ｗｉｒｅｌｅｓｓ  ｃｏｕｐｌｉｎｇ）によって結合される。第１のプロセッサ１１８はマイクロポンプ装置１１６に結合されて、マイクロポンプ装置１１６に電力を供給しかつそれを制御する。第１のプロセッサ１１８に追加的な電力をもたらすために第１の電源１４０が含まれ得る。第１のプロセッサ１１８には圧力感知装置１３８が結合され得る。圧力感知装置１３８は、圧力感知ルーメン１６６（すなわち通気路１７４またはインターフェース分配マニホールド１５０）に流体的に結合されて、その内部の圧力を感知する。マイクロポンプ装置１１６は液溜め１２６に流体的に結合される。液溜め１２６は、減圧ルーメ１６４からすなわちインターフェース分配マニホールド１５０から流体１２７を受け取って保持する。
【００２０】
ベースユニット１１０によって送信されたポンプ信号は、第１のＲＦＩＤアンテナ１１４によって受信され、かつマイクロポンプ装置１１６を付勢して減圧を生じる。圧力問合せ信号は、第２のプロセッサ１２８およびＲＦＩＤリーダ１１２によって無線減圧ポンプ１０８の第１のプロセッサ１１８に送信される。それに応じて、無線減圧ポンプ１０８の第１のプロセッサ１１８および圧力感知装置１３８は、減圧ドレッシング１０６が受けている圧力を示す圧力メッセージ信号をベースユニット１１０に送信する。
【００２１】
第２のプロセッサ１２８は、無線減圧ポンプ１０８から圧力メッセージ信号を受信し、かつ制御信号を準備するように構成される。第２のプロセッサ１２８およびＲＦＩＤリーダ１１２は、制御信号を無線減圧ポンプ１０８に送信して、マイクロポンプ装置１１６を作動させるまたはその動作を停止させるように構成される。別の例示的実施形態では、上述の通り、第１のプロセッサ１１８は、圧力感知装置１３８から圧力メッセージ信号を受信しかつ制御信号を生成して、マイクロポンプ装置１１６を作動させるまたはその動作を停止させるように動作可能である。
【００２２】
ここで主に図２および図４を参照して説明すると、無線減圧ポンプ１０８は減圧を生成し、その減圧は組織部位１０２に供給される。無線減圧ポンプ１０８は、組織部位１０２から流体を受け取って保持する。減圧は、概して、治療を施されている組織部位における周囲圧力に達しない圧力を指す。ほとんどの場合、この減圧は、患者がいる場所の気圧に達しない。あるいは、減圧は、組織部位における静水圧未満とし得る。他に指定のない限り、本明細書で挙げられた圧力の値はゲージ圧である。供給される減圧は、一定であってもまたは変動しても（パターン化またはランダム）よく、連続的にまたは断続的に供給され得る。本明細書での使用に一致して、他に指定のない限り、減圧または真空圧の上昇は、一般に、絶対圧の相対的低下を指す。
【００２３】
無線減圧ポンプ１０８はシステム１００のために減圧をもたらす。無線減圧ポンプ１０８は、第１の分配マニホールド１４２、ダイバータ層１４４、および吸収層１４６を含み得る。通気口１７６を使用して、排気路をマイクロポンプ装置１１６から無線減圧ポンプ１０８の外部に流体的に結合する。第１の分配マニホールド１４２は、マイクロポンプ装置１１６によって生成された減圧を分配する働きをする。マイクロポンプ装置１１６と第１の分配マニホールド１４２との間に空気液体分離器１４３、例えば疎水性フィルタを配置して、マイクロポンプ装置１１６に液体が入らないようにする。吸収層１４６は、組織部位１０２から流体を受け取って保持する働きをする。吸収層１４６は、組織部位１０２から滲出液などの液体を吸収することができる任意の材料から作製し得る。
【００２４】
吸収層１４６は超吸収繊維から作製し得る。超吸収繊維は、繊維への物理的または化学的な変化を伴って、液体を保持しても、または液体に結びついてもよい。非限定的な一例では、超吸収繊維は、Ｔｅｃｈｎｉｃａｌ  Ａｂｓｏｒｂｅｎｔｓ，Ｌｔｄ．（Ｇｒｉｍｓｂｙ、Ｕｎｉｔｅｄ  Ｋｉｎｇｄｏｍ）からのＳｕｐｅｒ  Ａｂｓｏｒｂｅｎｔ  Ｆｉｂｅｒ（ＳＡＦ）材を含み得る。吸収層１４６は、繊維が組織部位１０２からの液体を吸収する繊維性材料のシートまたはマットとし得る。繊維を含む吸収層１４６の構造は、織構造でもまたは不織構造でもよい。吸収層１４６の繊維は、液体と接触するとゲルとなってもよく、それにより、液体を捕捉する。繊維間の空間または空隙によって、吸収層１４６に行われる減圧が吸収層１４６内をおよびそこを通って伝達することができるようにし得る。例示的一実施形態では、吸収層１４６内の繊維の繊維密度は、１ミリメートル当たり約１．４グラムとし得る。
【００２５】
ダイバータ層１４４は、吸収層１４６および第１の分配マニホールド１４２に隣接して配置される。ダイバータ層１４４は、液不透過性材料から形成されるが、複数のアパーチャ１４５を含んでいる。複数のアパーチャ１４５によって、マイクロポンプ装置１１６からの減圧を、ダイバータ層１４４を通して所望の個所に伝達する。ダイバータ層１４４は、吸収層１４６に適用されるときの減圧のパターンを制御するのを助ける。減圧は、第１の分配マニホールド１４２によってダイバータ層１４４に分配される。アパーチャ１４５は、吸収層１４６の複数の部分に減圧を行うパターンで配置されて、吸収層１４６が組織部位１０２からより多くの流体を吸収するときに、組織部位１０２への減圧の伝達を継続する吸収層１４６の性能を高め得る。
【００２６】
複数のアパーチャ１４５は、ダイバータ層１４４の中心から離れてダイバータ層１４４の周辺部分を取り囲むパターンで位置決めして、減圧が、吸収層１４６の中心領域から離れて、吸収層１４６で行われるようにし得る。ダイバータ層１４４は、第１の分配マニホールド１４２と共に作用して、ダイバータ層１４４と併用されない吸収層１４６と比較すると吸収層１４６の吸収能力および吸収効率が確実に高まるようにする。吸収層１４６全体にわたって液体の分配を良好に行うことによって、ダイバータ層１４４はまた、無線減圧ポンプ１０８の有効容量を多くし、かつ治療時間を長くする。
【００２７】
ダイバータ層１４４は、隣接する吸収層の減圧伝達能力および貯蔵能力を高める任意の材料から作製し得る。例えば、ダイバータ層１４４は、液体および気体に対して実質的に不透過性でありかつアパーチャ１４５を通過するように減圧の流れをそらす材料から作製し得る。その代わりにまたはそれに加えて、ダイバータ層１４４が作製される材料は、予め定められた透湿度（ｍｏｉｓｔｕｒｅ  ｖａｐｏｒ  ｔｒａｎｓｆｅｒ  ｒａｔｅ）を有してもよく、それはガス透過性と一致している。いずれの例でも、ダイバータ層１４４は、依然として、アパーチャのないガス透過性材料で可能な量よりも大量の液体または気体を伝達するアパーチャのパターンを含み得る。しかしながら、液体ではなく気体に対するダイバータ層１４４の透過性は、ドレッシングを通る減圧の伝達率を高めるが、依然として液体の流れをダイバータ層１４４の周囲またはその付近へ向けることができることを留意されたい。
【００２８】
第１の分配マニホールド１４２、ダイバータ層１４４、および吸収層１４６は、ポンプ用パウチ１２０内に配置され得る。無線減圧ポンプ１０８はまた、圧力感知のために減圧ドレッシング１０６に流体的に結合されかつ第１のプロセッサ１１８と通信する圧力感知装置１３８を含み得る。減圧導管１４８は、減圧ドレッシング１０６からの流体を無線減圧ポンプ１０８へ供給する。例示的一実施形態では、減圧導管１４８は吸収層１４６に直接配置される。別の例示的実施形態では、減圧導管１４８と吸収層１４６をインターフェース（図示せず）が流体的に結合する。
【００２９】
ここで主に図１および図３を参照して説明すると、減圧ドレッシング１０６は組織部位１０２に配置される。組織部位１０２は、例えば、表皮１５６を通って皮下組織１５８に至る創傷１０４、または任意の他の組織部位とし得る。減圧ドレッシング１０６は、組織部位１０２に減圧をもたらしかつ組織部位１０２から流体を受け取る任意の装置とし得る。例えば、減圧ドレッシング１０６は、発泡体部材、複数の画成されたチャネルを備える構造、吸引管、または他の装置によって形成し得る。例示的一実施形態では、減圧ドレッシング１０６は、組織部位１０２に近接して配置されるインターフェース分配マニホールド１５０と、ドレッシングシール部材１５２と、減圧インターフェース１５４とを含み得る。
【００３０】
マニホールドは、一般的に、組織部位１０２に減圧を行う、流体を供給する、またはそこから流体を除去するのを支援するために設けられる物体または構造を指す。インターフェース分配マニホールド１５０は、一般に、流体を、インターフェース分配マニホールド１５０の周りの組織部位１０２にもたらしかつそこから除去するように分配させる複数の流路または流れ経路を含む。例示的一実施形態では、流路または流れ経路は相互に接続されて、組織部位１０２に提供されるまたはそこから除去される流体の分配を改善する。インターフェース分配マニホールド１５０はまた、組織部位１０２と接触して配置されかつ組織部位１０２に減圧を分配させることができる生体適合性材料とし得る。インターフェース分配マニホールドの例としては、限定はされないが、以下を含み得る：流路を形成するように配置された構造要素を有する装置、例えば、気泡質の発泡体、連続気泡発泡体、多孔性組織集合体、液体、ゲル、および流路を含むまたは硬化して流路を含む発泡体；発泡体；ガーゼ；フェルトのマット；または特定の生物学的適用に好適な任意の他の材料。
【００３１】
一実施形態では、インターフェース分配マニホールド１５０は多孔質発泡体であり、かつ流路の機能を果たす複数の連続気泡または細孔を含む。多孔質発泡体は、ポリウレタン製の連続気泡の網状発泡体、例えばＫｉｎｅｔｉｃ  Ｃｏｎｃｅｐｔｓ，Ｉｎｃｏｒｐｏｒａｔｅｄ（Ｓａｎ  Ａｎｔｏｎｉｏ、Ｔｅｘａｓ）から入手可能なＧｒａｎｕＦｏａｍ（登録商標）材とし得る。場合によっては、インターフェース分配マニホールド１５０はまた、薬剤、抗菌薬、成長因子、および様々な溶液などの流体を組織部位１０２に分配するためにも使用し得る。インターフェース分配マニホールド１５０にまたはインターフェース分配マニホールド１５０上に、吸収材料、ウィッキング材料、疎水性材料、および親水性材料などの他の層も含まれ得る。
【００３２】
例示的一実施形態では、インターフェース分配マニホールド１５０の全体または一部分は、減圧ドレッシング１０６の使用後に、患者の体に残ってもよい生体再吸収性（ｂｉｏｒｅｓｏｒｂａｂｌｅ）材料から構成し得る。好適な生体再吸収性材料は、限定はされないが、ポリ乳酸（ＰＬＡ）とポリグリコール酸（ＰＧＡ）とのポリマーブレンドを含み得る。ポリマーブレンドはまた、限定はされないが、ポリカーボネート、ポリフマレート、およびカプララクトンを含み得る。インターフェース分配マニホールド１５０は、新しい細胞増殖のための足場としての機能をさらに果たしてもよいし、または細胞増殖を促進するためにインターフェース分配マニホールド１５０と足場材料が一緒に使用されてもよい。足場は、細胞増殖または組織形成を増進させるまたは促進するのに使用される物体または構造であり、例えば、細胞増殖のテンプレートを提供する三次元の多孔質構造である。足場材料の例示的例は、リン酸カルシウム、コラーゲン、ＰＬＡ／ＰＧＡ、コーラルヒドロキシアパタイト（ｃｏｒａｌ  ｈｙｄｒｏｘｙ  ａｐａｔｉｔｅ）、カーボネート、または加工された同種移植片材料を含む。
【００３３】
インターフェース分配マニホールド１５０はドレッシングシール部材１５２によって覆われる。ドレッシングシール部材１５２は、流体シールをもたらす任意の材料とし得る。流体シールは、特定の減圧源または関連のサブシステムによって与えられた減圧を所望の部位に維持するのに適切なシールである。ドレッシングシール部材１５２は、例えば、不透過性または半透過性のエラストマー性材料とし得る。エラストマー性材料は、エラストマーの特性を有する。一般的に、ゴムのような特性を有するポリマー材料を指す。より具体的には、ほとんどのエラストマーは、１００％超の極限伸びおよび相当の弾力性を有する。材料の弾力性は、弾性変形から回復する材料の能力を指す。エラストマーの例は、限定されるものではないが、天然ゴム、ポリイソプレン、スチレンブタジエンゴム、クロロプレンゴム、ポリブタジエン、ニトリルゴム、ブチルゴム、エチレンプロピレンゴム、エチレンプロピレンジエンモノマー、クロロスルホン化ポリエチレン、多硫化ゴム、ポリウレタン（ＰＵ）、ＥＶＡフィルム、コ−ポリエステル、およびシリコーンを含む。ドレッシングシール部材材料の追加的な具体例は、シリコーンドレープ、３Ｍ  Ｔｅｇａｄｅｒｍ（登録商標）ドレープ、Ａｖｅｒｙ  Ｄｅｎｎｉｓｏｎ  Ｃｏｒｐｏｒａｔｉｏｎ（Ｐａｓａｄｅｎａ、Ｃａｌｉｆｏｒｎｉａ）から入手可能なポリウレタン（ＰＵ）ドレープを含む。ドレッシングシール部材１５２は、組織部位１０２の上側を覆う密閉空間１６０を形成し、そこに、マイクロポンプ装置１１６を含んでもよい。
【００３４】
取付装置１６２を使用して、ドレッシングシール部材１５２を患者の表皮１５６または別の層、例えばガスケットまたは追加的なシール部材に保持してもよい。取付装置１６２は多くの形態を取り得る。例えば、取付装置１６２は、医学的に容認できる感圧接着剤としてもよく、これは、ドレッシングシール部材１５２の周辺にまたは全てに延在する、または表皮１５６を覆う患者対面側面のドレッシングシール部材１５２の少なくとも一部分を覆う。
【００３５】
減圧インターフェース１５４を使用して、減圧導管１４８と減圧ドレッシング１０６の密閉空間１６０との間に流体連通をもたらし得る。減圧は、減圧導管１４８を通って減圧インターフェース１５４に、その後密閉空間１６０に供給され得る。例示的一実施形態では、減圧インターフェース１５４は、ＫＣＩ（Ｓａｎ  Ａｎｔｏｎｉｏ、Ｔｅｘａｓ）から入手可能なＴ．Ｒ．Ａ．Ｃ．（登録商標）ＰａｄまたはＳｅｎｓａ  Ｔ．Ｒ．Ａ．Ｃ．（登録商標）Ｐａｄである。減圧導管１４８は、図１に示すように一体型導管として形成されたまたは図３に示すように別個に形成された減圧ルーメン１６４および圧力感知ルーメン１６６を含んでもよい。
【００３６】
図１に示す例示的一実施形態では、圧力感知能力を減圧ドレッシング１０６に付加して、圧力感知装置１３８に追加してまたはその装置の代わりに機能するようにしてもよい。減圧ドレッシング１０６は、第２のＲＦＩＤアンテナ１６８、第３のプロセッサ１７０、および第２の圧力感知装置１７２を含み得る。第３のプロセッサ１７０は、第２のＲＦＩＤアンテナ１６８および第２の圧力感知装置１７２に結合されている。通気路１７４が密閉空間１６０と第２の圧力感知装置１７２との間に流体連通をもたらす。第３のプロセッサ１７０および第２の圧力感知装置１７２は、ベースユニット１１０から圧力問合せ信号を受信し、密閉空間１６０内の圧力を示す圧力メッセージ信号によって応答するように動作可能である。
【００３７】
例示的一実施形態では、無線減圧ポンプ１０８は無線式のパッシブな（すなわちバッテリーがない）装置である。そのようなものとして、無線減圧ポンプ１０８には、第１のＲＦＩＤアンテナ１１４によって供給される電力以外の動力源が設置されていない。一部の実施形態では、無線減圧ポンプ１０８は、電気エネルギーを蓄積するためのコンデンサを含み得る。別の例示的実施形態では、図３に示すような第１の電源１４０は、第１のＲＦＩＤアンテナ１１４によって供給される電力を増大するかまたはマイクロポンプ装置１１６を動作させるように設けてもよい。第１の電源１４０は、第１のＲＦＩＤアンテナ１１４からの電力によって再充電されてもよい。
【００３８】
マイクロポンプ装置１１６は、圧電ポンプ、蠕動ポンプ、または他の小型ポンプなどの多数の形態を取り得る。ここで主に図５を参照して、無線減圧ポンプ１０８の一態様として使用するのに好適なマイクロポンプ装置１１６の例示的実施形態を説明する。マイクロポンプ装置１１６は、第１の端壁１８０、第２の端壁１８２、および環状側壁１８４によって画成された空洞１７８を含む。空洞１７８は、実質的に円形形状とし得るが、楕円形などの他の形状も可能である。例示的一実施形態では、空洞１７８は、約１０ｍｌの流体を保持してもよいし、またはより多くのまたはより少ない流体を保持してもよい。
【００３９】
空洞１７８はノード様流入口１８６を備え、そこは弁付きでもまたは弁付きでなくてもよい。空洞１７８はまた、弁付き排出口１９０を有してもよい。第１の端壁１８０はディスク１９２とし得る。ディスク１９２上には、アクチュエータ１９４、例えば圧電ディスク、磁歪装置、またはソレノイド作動装置がある。アクチュエータ１９４は駆動回路に電気的に結合され、この駆動回路はプロセッサによって制御される。駆動回路は、交流電気信号をアクチュエータ１９４に印加して、ディスク１９２に振動を誘起する。振動の周波数は、チャンバの固有周波数に適合するように調整できる。圧電ディスクは、厚さが１ｍｍ未満とし、および５００Ｈｚ超で、１０ｋＨｚ超、または２０ｋＨｚ超でも動作するように同調され得る。作動すると、アクチュエータ１９４は、図示の通りの空洞１７８の平面に実質的に垂直な方向において振動してもよく、それにより、空洞１７８内の流体に半径方向の圧力振動を生成する。１つ以上のマイクロポンプ装置１１６を並列にまたは直列に使用してもよい。
【００４０】
例示的一実施形態では、マイクロポンプ装置１１６は、空洞１７８に流体を有し、かつ第１の端壁１８０、第２の端壁１８２、および側壁１８４によって囲まれる実質的にシリンダー形状を有する。少なくとも２つのアパーチャ、例えば、流入口１８６および排出口１９０が、空洞１７８を形成する壁１８０、１８２、１８４を通って形成される。空洞１７８は半径ｒおよび高さｈを有し、およびｒ／ｈ＞１．２およびｈ２／ｒ＞４×１０−１０ｍである。圧電ディスクであるアクチュエータ１９４は、端壁１８０、１８２の一方に、第１の端壁１８０および第２の端壁１８２の平面に対して実質的に垂直な方向の振動運動を生じる。端壁１８０、１８２の軸方向振動は、空洞１７８に流体圧力の半径方向の振動を発生させ、かつ減圧を生じるポンピングを可能にする。マイクロポンプ装置１１６は、音響ポンプのように、空洞１７８内に音響共振を生じる。流入口１８６を使用して流体を引き込み、および排出口１９０は通気口、例えば図４の通気口１７６に結合され、外部に排出する。他のマイクロポンプ装置を使用してもよい。マイクロポンプ装置１１６は、米国特許出願公開第２００９／０２４０１８５号明細書（米国特許出願第１２／３９８，９０４号；２００９年３月５日出願）（「Ｄｒｅｓｓｉｎｇ  ａｎｄ  Ｍｅｔｈｏｄ  ｆｏｒ  Ａｐｐｌｙｉｎｇ  Ｒｅｄｕｃｅｄ  Ｐｒｅｓｓｕｒｅ  Ｔｏ  ａｎｄ  Ｃｏｌｌｅｃｔｉｎｇ  Ａｎｄ  Ｓｔｏｒｉｎｇ  Ｆｌｕｉｄ  ｆｒｏｍ  ａ  Ｔｉｓｓｕｅ  Ｓｉｔｅ」）に示すマイクロポンプのタイプとし得る。この文献をあらゆる目的のために本願明細書に援用する。
【００４１】
ここで主に図１〜３を参照して説明すると、例示的一実施形態によれば、システム１００の動作中、減圧ドレッシング１０６は組織部位１０２に適用される。特に、インターフェース分配マニホールド１５０は組織部位１０２に近接して配置される。その後、インターフェース分配マニホールド１５０および組織部位１０２がドレッシングシール部材１５２によって覆われて、密閉空間１６０を生成する。ドレッシングシール部材１５２の患者対面側面上の取付装置１６２は、患者の表皮１５６の一部分に流体シールをもたらすのを助け得る。減圧インターフェース１５４がまだ設置されていない場合には、例えばドレッシングシール部材１５２に小さなアパーチャの切り込みを入れ、アパーチャまたは孔を覆ってまたはそこを通して減圧インターフェース１５４を固定するなどによって、減圧インターフェースを適用し得る。
【００４２】
その後、無線減圧ポンプ１０８が提供され、減圧導管１４８によって減圧インターフェース１５４に流体的に結合される。第１のＲＦＩＤアンテナ１１４をベースユニット１１０の動作範囲内に配置するように、無線減圧ポンプ１０８を位置決めする。例示的一実施形態では、第１のＲＦＩＤアンテナ１１４は、ベースユニット１１０のＲＦＩＤリーダ１１２から数ミリメートル内に配置する。別の例示的実施形態では、第１のＲＦＩＤアンテナ１１４は、ＲＦＩＤリーダ１１２から１０メートル離れた個所に配置してもよい。所与の範囲内の任意の距離を容易に使用し得る。
【００４３】
その後、ベースユニット１１０を使用者が作動させる。ベースユニット１１０は、無線減圧ポンプ１０８にポンプ信号１３７を送信する。ポンプ信号は第１のＲＦＩＤアンテナ１１４によって受信され、およびポンプ信号のエネルギーが第１のプロセッサ１１８に供給される。第１のプロセッサ１１８はマイクロポンプ装置１１６にエネルギーを供給する。マイクロポンプ１１６は減圧を生じ、それが、減圧導管１４８に流体的に結合されている液溜め１２６に供給される。それゆえ、減圧は、減圧導管１４８を通して減圧ドレッシング１０６に供給される。組織部位１０２からの流体がインターフェース分配マニホールド１５０、減圧インターフェース１５４、および減圧導管１４８を通って液溜め１２６まで流れる。
【００４４】
組織部位１０２における圧力が、圧力感知装置、例えば図３の圧力感知装置１３８または図１の第２の圧力感知装置１７２を使用して直接または間接的に監視され得る。第１の例示的例では、ベースユニット１１０の第２のプロセッサ１２８およびＲＦＩＤリーダ１１２は、ポンプ信号とは別にまたはポンプ信号と共に、無線減圧ポンプ１０８に圧力問合せ信号を送信する。圧力問合せ信号に応答して、第１のプロセッサ１１８および圧力感知装置１３８は圧力メッセージ信号を準備し、組織部位における圧力の測定値を通信し得る。その後、圧力メッセージ信号を、第１のプロセッサ１１８による別の処理に使用して、必要とされ得るときにマイクロポンプ１１６を作動または動作停止させるポンプ制御信号を発生させる。その代わりにまたはそれに加えて、第１のプロセッサ１１８は、第１のＲＦＩＤアンテナ１１４を介してＲＦＩＤリーダ１１２に圧力メッセージ信号を送信し得る。圧力メッセージ信号は、ＲＦＩＤリーダ１１２に達した後、第２のプロセッサ１２８に供給される。圧力メッセージ信号を使用して、第２のプロセッサ１２８はポンプ制御信号を準備し、そのポンプ制御信号は、ＲＦＩＤリーダ１１２によって無線減圧ポンプ１０８に送信されて、必要に応じマイクロポンプ１１６を動作停止または作動させる。
【００４５】
適切な時間間隔を経た後、圧力が所望の動作範囲外に留まっている場合、ベースユニット１１０または無線減圧ポンプ１０８によって警報信号が生成される。警報は、別個の可聴装置、視覚警報としてもよいし、またはマイクロポンプ１１６が異なる周波数範囲、例えば低周波数で機能して、警報のための可聴雑音を生成してもよい。
【００４６】
第２の例示的手法では、減圧ドレッシング１０６は、第３のプロセッサ１７０に結合される第２のＲＦＩＤアンテナ１６８を含み、その第３のプロセッサは、第２の圧力感知装置１７２に結合されている。第２の圧力感知装置１７２は、通気路１７４を介して密閉空間１６０内の圧力を受ける。ベースユニット１１０は、第２のＲＦＩＤアンテナ１６８に圧力問合せ信号を送信する。それに応答して、第２の圧力感知装置１７２および第３のプロセッサ１７０は圧力メッセージ信号を生成し、それが、第２のＲＦＩＤアンテナ１６８によってベースユニット１１０に送信される。上述の通り、その後、ベースユニット１１０はポンプ制御信号を生成して、それが無線減圧ポンプ１０８に送信され、マイクロポンプ１１６を作動させるまたはその動作を停止させる。あるいは、第３のプロセッサ１７０は、圧力を見積もり、かつ、フィードバックまたは制御ループの一部としてポンプ制御信号を準備し得る。
【００４７】
ここで主に図４および図６を参照して、無線減圧ポンプ１０８の例示的実施形態を説明する。この例示的実施形態では、無線減圧ポンプ１０８は、ポール１９６上のベースユニット１１０に取り外し可能に固定され得る内蔵型の使い捨てパウチ設計とし得る。既に説明したように、ポンプ用パウチ１２０は、第１のポンプシール部材１２２および第２のポンプシール部材１２４によって形成される。ポンプ用パウチ１２０の外辺部は、第１のフランジ１２３および第２のフランジ１２５を含み得る。ポンプ用パウチ１２０は、所望の場合には多数の区画に分割または区分され得る。例えば、ある区画（明示せず）は、区画内にマイクロポンプ１１６を有して形成されてもよく、および別の区画は、吸収層１４６を含んで形成されてもよい。
【００４８】
ポンプ用パウチ１２０の例示的実施形態でのフランジ１２３、１２５は、溶接、ボンディング、またはそうでなければ第１のポンプシール部材１２２および第２のポンプシール部材１２４の取り付け部分によって形成され得る。第１のフランジ１２３は、１つ以上のポスト１９８を収容するための１つ以上のアパーチャ１２９を含み得る。ポスト１９８は、ポンプ用パウチ１２０をベースユニット１１０に隣接させて固定する。減圧導管１４８は、第２のフランジ１２５にあるアパーチャ１４９を通って入り込んでもよく、封止された締まり嵌めを提供するか、または封止接続をもたらすカップリングを有する。他の接続を使用してもよい。
【００４９】
図４から最もよく分かるように、第１のＲＦＩＤアンテナ１１４をベースユニット１１０の最も近くに配置して、第１のＲＦＩＤアンテナ１１４がベースユニット１１０のＲＦＩＤリーダ１１２に直接隣接するようにし得る。非限定的な一例では、第１のＲＦＩＤアンテナ１１４は、ＲＦＩＤリーダ１１２から２ミリメートルまたは１ミリメートル（１ｍｍ）またはそれより近くに位置決めされる。ＲＦＩＤリーダ１１２および第１のＲＦＩＤアンテナ１１４は実質的に適合されかつ位置合わせされ得る。別の例示的実施形態では、図１に提案するように、第１のＲＦＩＤアンテナ１１４が、遠くに配置されたベースユニット１１０の方へ外側に向くような状態で、無線減圧ポンプ１０８はポスト１９８に取り付けられ得る。例えば、ベースユニット１１０は中心のハブ領域に配置されてもよく、そこで、無線減圧ポンプ１０８は、１０メートル以上離れていてもよいベースユニット１１０を使用して監視されかつ電力供給される。
【００５０】
ここで主に図６を参照して説明すると、ベースユニット１１０は、コントロールパネル１３０および１つ以上のディスプレイ１３２を含んでもよい。ベースユニット１１０は、ベースハウジングまたはベース本体１３６を含み得る。ベースハウジングまたは本体１３６は、無線減圧ポンプ１０８が組織部位１０２からの流体で満たされるときに無線減圧ポンプ１０８の一部分に物理的な支持をもたらし得る棚部分１９９を含み得る。この点について、図６に示す無線減圧ポンプ１０８は、使用前の状態を示すことに留意されたい。図４および図６の実施形態では、無線減圧ポンプ１０８が流体を保持する容量に達したら、マイクロポンプ１１６は動作停止されてもよく、および使用者は無線減圧ポンプ１０８全体を廃棄してもよい。
【００５１】
ここで主に図７および図８を参照して、無線減圧ポンプ２００の別の例示的実施形態を説明する。無線減圧ポンプ２００を、組織部位を治療するシステム、例えば図１のシステムの一部として使用し得る。無線減圧ポンプ２００は複数の壁部材２０２を含み、第１のチャンバ２０４および第２のチャンバ２０６を形成する。複数の壁部材２０２の１つが、第１のチャンバ２０４を第２のチャンバ２０６から区分する区画壁２０８である。既に説明した図面のマイクロポンプ１１６と類似しているマイクロポンプ２１０が、第１のチャンバ２０４内に配置され得る。マイクロポンプ１１６は、流体を受け取る（または前記別の方法では、減圧を排出する）流入口２１２が第２のチャンバ２０６に流体的に結合されるように構成される。マイクロポンプ２１０は、第１のチャンバ２０４に流体的に結合される排出口または通気口２１４を有する。マイクロポンプ２１０は、排出口または通気口２１４を通って第１のチャンバ２０４まで正圧を放出する。
【００５２】
第１のチャンバ２０４を形成する複数の壁部材２０２の１つの一部分は、アパーチャ２１６を含む。任意選択的な逃がし弁２１８がアパーチャ２１６に結合される。逃がし弁２１８は、圧力が第１の閾値圧力を上回るときに、第１のチャンバ２０４内の圧力が無線減圧ポンプ２００の外部に放出されるように構成される。第２のチャンバ２０６を構成する複数の壁部材２０２の少なくとも一部分は、膨張式支持部材、典型的には複数の膨張式支持部材２２０を含む。複数の膨張式支持部材２２０を示すが、単一の膨張式支持部材を使用して第２のチャンバ２０６を形成し得ることを理解されたい。
【００５３】
膨張式支持部材２２０は、複数のアパーチャ２２２を通してなど、第１のチャンバ２０４と流体連通している。それゆえ、第１のチャンバ２０４内の正圧が複数の膨張式支持部材２２０を満たす。複数の膨張式支持部材２２０が十分な流体で満たされると、複数の膨張式支持部材２２０は、相対的に剛性を得て、第２のチャンバ２０６に体積部を形成するのを助ける構造体を提供する。組織部位からの流体２２３は、減圧導管２２４を通って第２のチャンバ２０６の体積部に収容される。ピラミッド形状で示す無線減圧ポンプ２００は、他の形状、例えば、ボックス、シリンダー、または任意の他の形状をとるように形成してもよい。
【００５４】
既に説明した実施形態のように、マイクロポンプ２１０は、ＲＦＩＤアンテナ２２６に供給されたポンプ信号によって、全体的にまたは部分的に、電力供給される。ＲＦＩＤアンテナ２２６は第１のプロセッサ２２８に結合されている。第１のプロセッサ２２８は、導線２３０によってマイクロポンプ２１０に電気的に結合されており、この導線は複数の壁部材２０２の１つに含まれ得るが、図７では別個に示す。図８に示すように、複数の壁部材２０２の床部分２３２がプラットフォーム部材２３４内に含まれ得る。
【００５５】
ここで主に図７および図８を参照して説明すると、例示的一実施形態による動作では、減圧導管２２４は、減圧ドレッシング、例えば図１および図３の減圧ドレッシング１０６に結合される。ベースユニット、例えば図１のベースユニット１１０を使用して、無線減圧ポンプ２００のＲＦＩＤアンテナ２２６にポンプ信号またはポンプ作動信号を送信する。ＲＦＩＤアンテナ２２６によって受信されるポンプ信号が、第１のプロセッサ２２８に供給される。第１のプロセッサ２２８からマイクロポンプ２１０へ電力が供給され、マイクロポンプ２１０を付勢する。マイクロポンプ２１０が付勢されると、減圧が第２のチャンバ２０６に供給され、かつ正圧が第１のチャンバ２０４に供給される。圧力が第１のチャンバ２０４内で高まると、圧力が複数の膨張式支持部材２２０に充填されて、無線減圧ポンプ２００が、しぼんだ状態から膨張状態に変化する。流入口２１２をスペーサ部材（図示せず）が覆って、膨張式支持部材２２０が充填される前の始動中の気閉塞を防止する。
【００５６】
膨張式支持部材２２０が膨張すると、第２のチャンバ２０６の最大体積が達成される。それと同時に、第２のチャンバ２０６の減圧が減圧導管２２４に供給される。流体２２３（液体を含む）が第２のチャンバ２０６に注入される。
【００５７】
明示しないが、例えば図３の圧力感知装置１３８に類似した減圧感知装置が第２のチャンバ２０６の一部分に組み込まれて、第２のチャンバ２０６の圧力を測定し得ることを理解されたい。ここでも、明示しないが、例えば図３の圧力感知装置１３８に類似した減圧感知装置が、減圧ポンプ２００に含まれてもよいことを理解されたい。減圧導管２２４はまた、分配マニホールドにおける圧力を測定するための減圧感知装置に流体的に結合される圧力感知ルーメンを有し得る。どちらの例でも、圧力感知装置は第１のプロセッサ２２８に結合されて、圧力メッセージ信号を発生させる。圧力メッセージ信号は、ベースユニットからの圧力問合せ信号に応答して、または第１のプロセッサ２２８によって自然発生して供給され得る。第１のプロセッサ２２８は圧力メッセージ信号を使用してポンプ制御信号を発生させ、それがマイクロポンプ２１０に供給され得る。あるいは、圧力メッセージ信号はベースユニットに送信され、そこで、ベースユニット内のプロセッサが、既に説明した実施形態と同様のポンプ制御信号を発生させ得る。
【００５８】
代替的な実施形態では、既に説明した無線減圧ポンプ１０８、２００が、ＲＦＩＤアンテナを有する代わりに、ポンプとベースとの間に導線またはソケットおよびプラグを有する。導線またはソケットおよびプラグは、電力および信号をやり取りするために互いに容易に差し込み得る。
【００５９】
ここで主に図９〜１１を参照して、減圧によって組織部位３０２を治療する減圧システム３００の例示的実施形態を説明する。減圧システム３００は、無線減圧ドレッシング３０４およびベースユニット３０６を含む。ベースユニット３０６は電源コネクタ３０７を含んでもよい。無線減圧ドレッシング３０４は、ベースユニット３０６から電力を受信しかつ制御を受ける内蔵型の使い捨てドレッシングである。ベースユニット３０６は、無線減圧ドレッシング３０４に実質的に隣接し得る、例えば、１または２ミリメートル以内に、または１０メートルまでまたはそれ以上離れて、またはそれらの間のどこかにあり得る。一実施形態では、マイクロポンプ３１６は、吸収層または吸収部材３１０から分離していてもよく、使用後に、マイクロポンプ３１６を容易に分離し得る。そのため、マイクロポンプ３１６を修理および再使用してもよい。
【００６０】
無線減圧ドレッシング３０４は、組織部位３０２に近接して配置されるインターフェース分配マニホールド３０８を含む。無線減圧ドレッシング３０４はまた、吸収層３１０、ＲＦＩＤアンテナ３１２、および第１のプロセッサ３１４を含んでもよい。ＲＦＩＤアンテナ３１２は第１のプロセッサ３１４に電気的に結合される。第１のプロセッサ３１４はマイクロポンプ３１６に電気的に結合される。インターフェース分配マニホールド３０８、吸収層３１０、ＲＦＩＤアンテナ３１２、第１のプロセッサ３１４、およびマイクロポンプ３１６は全て適所に保持され、かつ１つ以上のシール部材、例えばシール部材３２０によって密閉空間３１８内に固定される。追加的な層および構成要素を無線減圧ドレッシング３０４に含めてもよい。
【００６１】
図９〜１１の例示的実施形態は、追加的な層および構成要素を含む。追加的な層および構成要素は、異なる順序で配置してもよい。シール層３２２を使用して、組織部位３０２の周りで無線減圧ドレッシング３０４を封止する。シール層３２２はアパーチャ３２３を備えて形成され、インターフェース分配マニホールド３０８に流体連通をもたらす。インターフェース分配マニホールド３０８および組織部位３０２と流体連通して第１の内部分配マニホールド３２４が位置決めされる。吸収層３１０は、第１の内部分配マニホールド３２４、インターフェース分配マニホールド３０８、および組織部位３０２と流体連通して位置決めされる。吸収層３１０に隣接してダイバータ層３２６が位置決めされる。ダイバータ層３２６に流体連通して第２の内部分配マニホールド３２８が位置決めされる。ダイバータ層３２６は、複数のアパーチャ３２７を備えて形成され、それらアパーチャは、多数のパターンおよび形態をとり得る。ダイバータ層３２６は、この特定の例示的実施形態では、正方形のパターンを形成する複数のアパーチャ３２７を備えて示す。正方形のパターンでは、角にあるアパーチャが他のアパーチャよりも大きい。第２の内部分配マニホールド３２８に隣接して気液分離装置３３０が位置決めされる。
【００６２】
マイクロポンプ３１６、ＲＦＩＤアンテナ３１２、および第１のプロセッサ３１４は、気液分離装置３３０に隣接し得る。マイクロポンプ３１６の排出口３３４を覆ってチャコールフィルタ３３２または他の臭気除去装置を位置決めし得る。シール部材３２０は、アパーチャ３３６を備えて形成され、マイクロポンプ３１６の排出口３３４が無線減圧ドレッシング３０４の外部に排気できるようにする。排出口３３４およびアパーチャ３３６は共に通気口３３８を形成する。
【００６３】
マイクロポンプ３１６は、統合無線減圧ドレッシング３０４を組織部位３０２に維持できるようにするのに十分に小型かつ軽量なマイクロポンプとし得る。さらに、マイクロポンプ３１６は、統合減圧ドレッシング３０４が組織部位３０２を引っ張らないまたは他の方法で悪影響を与えないようなサイズおよび重量にし得る。例示的一実施形態では、マイクロポンプ３１６は、上述したものと同様の圧電アクチュエータを有するディスク型ポンプとし得る。米国特許出願公開第２００９／００８７３２３号明細書および米国特許出願公開第２００９／０２４０１８５号明細書（これらをあらゆる目的のために本願明細書に援用する）に示されているポンプも参照する。代替的な実施形態では、マイクロポンプ３１６は、様々な流体をくみ上げるために使用する蠕動ポンプとし得る。代替的なポンプ技術を用いてもよいこと、および回転ポンプ、リニアポンプ、または他の構成のポンプを用いてもよいことを理解されたい。
【００６４】
マイクロポンプ３１６は、創傷治療に治療力のある十分な減圧を生成する。例示的一実施形態では、マイクロポンプ３１６は、減圧治療を継続的に行うことができるように十分な流量特性、減圧特性、および動作寿命特性を有する。流量は約５〜１０００ｍｌ／分の範囲、および減圧は約−５０〜−２００ｍｍ  Ｈｇ（−６．６〜−２６．６ｋＰａ）の範囲とし得る。統合無線減圧ドレッシング３０４の構成、創傷のサイズ、または創傷のタイプに依存して、代替的な範囲を使用してもよいことを理解されたい。例示的一実施形態では、複数のポンプを単一のドレッシングに位置決めして、必要に応じて流量または真空レベルを上昇させて供給してもよい。
【００６５】
マイクロポンプ３１６はドレッシング内に配置されて、創傷の滲出液を収集するための導管および外部キャニスタの使用を回避する。マイクロポンプ３１６は、減圧ドレッシング３０４から空気を放出するまたは排気するための排出口３３４を含む。排出口３３４を使用する場合、排出口３３４は、シール部材３２０のアパーチャ３３６と流体連通しているか、またはその内部に位置決めされ得る。あるいは、シール部材３２０は、マイクロポンプ３１６の出口ポートの周りで封止され、マイクロポンプ３１６からのガスが、アパーチャ３３６を通って直接排気できるようにし得る。図９〜１１の例示的実施形態では、マイクロポンプ３１６の排出口３３４は、気液分離装置３３０（または疎水性フィルタ）から離れる方向に向けられて、無線減圧ドレッシング３０４に空気を加えないようにする。一方向弁を含み得るシール部材３２０のアパーチャ３３６を通って空気は排出される。あるいは、空気または別のガスは、減圧を維持するシール部材３２０の能力が影響を受けない限り、シール部材３２０のガス透過性部分を通って排出され得る。
【００６６】
マイクロポンプ３１６が圧電ポンプであるとき、マイクロポンプ３１６に関連付けられた圧電アクチュエータは、ときには、異なる周波数で駆動されてブザーまたは振動性警告システムの機能を果たし得る。警告システムは、警報状況を使用者に警告し得る。例えば、警報状況は、ドレッシングに漏れが存在すること、センサによって測定された減圧が変化したこと、ドレッシングが、インジケータによって示され得るような最大容量の液体を吸収したこと、または１つ以上の層がもはや効率的に減圧を多岐的に分配（ｍａｎｉｆｏｌｄｉｎｇ）しないことを示し得る。
【００６７】
制御電子回路が第１のプロセッサ３１４の一部として物理的にまたは機能的に組み込まれ得る。制御電子回路は、マイクロポンプ３１６の動作を制御するために使用し得る。制御電子回路は、アナログでもまたはデジタルでもよく、およびマイクロポンプ３１６が動作する速度またはデューティサイクルを調整する調整器を備えて構成し得る。さらに、制御電子回路は、センサまたはスイッチ、例えば、圧力感知装置（図１２の３４０参照）からの感知信号を受信するコントローラを備えて構成し得る。センサは無線減圧ドレッシング３０４全体にわたって配置され、パラメータ、例えば圧力、温度、湿度、化学的性質、臭気、またはマイクロポンプ３１６の管理および制御に用い得る任意の他のパラメータを感知し得る。制御電子回路は、コンピュータプロセッサまたはプログラマブル・ゲート・アレイまたは他の制御装置を含んでもよい。制御電子回路は、本明細書で説明する機能を実行するデジタルまたはアナログ構成要素の任意の形態を含み得ることを理解されたい。制御電子回路は、第１のプロセッサ３１４としてもよいし、またはそれを含んでもよい。
【００６８】
制御電子回路は、いくつかの状態、例えば、（ｉ）低圧、（ｉｉ）過度の漏れ、（ｉｉｉ）吸収層レベル、および（ｉｖ）バッテリー状態（含まれる場合）に関して監視しかつ警報を発するように配置され得る。それゆえ、制御電子回路は、パラメータの各々を監視しかつスピーカ、バイブレータ、または照明装置、例えば発光ダイオード（ＬＥＤ）を使用して警報信号（例えば、高音のビープ音、振動、または光）を生成するエレクトロニクスを含み得る。それゆえ、制御電子回路は、医療専門家、患者、または家族の一員に、パラメータが所望の範囲外にあることを通知し得る。例えば、組織部位３０２における圧力が治療レベルを下回る場合、連続音調が生成され得る。別の例として、吸収層３１０が飽和する場合、連続的なビープ音が生成され得る。バッテリーが、ある電圧レベルよりも下がる場合、異なる可聴周波数が生成され得るか、またはＬＥＤが作動され得る。様々な異なる警報信号が、医療専門家に特定の行動をとるように通知するために確立され得る。
【００６９】
ＲＦＩＤアンテナ３１２を使用して、マイクロポンプ３１６および制御電子回路に電気出力をもたらす。バッテリー３４２はまた、ＲＦＩＤアンテナ３１２からの出力を増大するために蓄積エネルギーをもたらすように使用してもよい。バッテリー３４２は、任意のサイズおよび形状としてもよく、および任意の材料、例えばポリマーとし得る。バッテリー３４２は、必要な電力全体またはその一部分をもたらし得る。バッテリー３４２は、ＲＦＩＤアンテナ３１２からの電力によって再充電し得る。
【００７０】
例示的一実施形態では、バッテリー３４２は、制御電子回路によって監視される電圧レベルセンサを備えて構成してもよく、および制御電子回路は、低電力レベルが検出されると警報を発生し得る。バッテリー３４２は、マイクロポンプ３１６に直接接続され得る。あるいは、バッテリー３４２は、バッテリー３４２からの電力を使用してマイクロポンプ３１６を駆動させる制御電子回路または１つまたは複数のプロセッサに接続され得る。制御電子回路は、連続的な変調電力、例えばパルス幅変調（ＰＷＭ）信号を使用して、マイクロポンプ３１６を駆動し得る。
【００７１】
シール層３２２は、減圧ドレッシング３０４の構成要素に掛けるかそうでなければ覆うために使用されるシール部材３２０に、接着されるまたは他の方法で接続される。シール層３２２は、患者の創傷の周りの表皮と真空シールを形成するのに十分に強力な医療グレードの接着材料または他のシール装置を含み得る。シール層３２２は、気液分離装置３３０または他の層の幾何学的なパラメータよりもわずかに大きい、アパーチャ３２３を有する帯状体としてもよく、シール部材３２０が患者の組織部位３０２の周りの表皮と接触するようにする。シール部材３２０は、流体、例えば空気および液体に対し不透過性である。
【００７２】
別の例示的実施形態では、シール部材３２０はダイバータ層３２６に接着してもよく、およびダイバータ層３２６はシール部材３２０に接着して、上部ドレッシング部分および下部ドレッシング部分を形成する。上部ドレッシング部分は、シール部材３２０、マイクロポンプ３１６および関連の構成要素、気液分離装置３３０、第２の内部分配マニホールド３２８、およびダイバータ層３２６を含み得る。下部ドレッシング部分は、吸収層３１０、第１の内部分配マニホールド３２４、シール層３２２、およびインターフェース分配マニホールド３０８を含み得る。無線減圧ドレッシング３０４は、無線減圧ドレッシングが流体を最大容量吸収したら、下部ドレッシング部分を交換できるように構成し得る。上部ドレッシング部分は、下部ドレッシング部分の交換後に再使用してもよい。これにより、マイクロポンプ３１６を複数回使用することができるようになるが、ドレッシングの使い捨て部分は交換してもよい。別の例示的実施形態では、マイクロポンプ３１６、第１のプロセッサ３１４、およびＲＦＩＤアンテナ３１２は、再使用するためにドレッシングから取り除き、およびドレッシングの残りの層を交換してもよい。さらに別の例示的実施形態では、吸収層３１０のみを交換してもよい。さらに別の例示的実施形態では、吸収層３１０およびインターフェース分配マニホールド３０８のみを交換してもよい。
【００７３】
チャコールフィルタ３３２を無線減圧ドレッシング３０４に用いて、組織部位３０２によって生じかつ無線減圧ドレッシング３０４から広まった臭気を低減させてもよい。チャコールフィルタ３３２は、弁またはマイクロポンプ３１６からの他の排出用の通気口の上方に配置されて、マイクロポンプ３１６からの排気を統合減圧ドレッシング３０４から放出される前にろ過し得る。あるいは、チャコールフィルタ３３２は、マイクロポンプ３１６の上方または下方に構成および配置してもよいことを理解されたい。別の例示的実施形態では、チャコールフィルタを使用するのではなく、チャコールを、統合減圧ドレッシング３０４に用いられる異なる層のいずれかまたは全てに組み込んでもよい。
【００７４】
例示的一実施形態によれば、動作中、図９〜１１の減圧システム３００は、組織部位３０２に近接させてインターフェース分配マニホールド３０８を配置することによって適用される。アパーチャ３２３がインターフェース分配マニホールド３０８の上側になるように、インターフェース分配マニホールド３０８の上側にシール層３２２を配置する。第１の内部分配マニホールド３２４は、第１のインターフェース分配マニホールド３０８に、およびおそらくシール層３２２の一部分に隣接して配置される。吸収層３１０は第１の内部分配マニホールド３２４に隣接して配置される。ダイバータ層３２６は、そのように示される構成要素の全てを覆って配置され得る。その後、第２の内部分配マニホールド３２８は、気液分離装置３３０と共に、ダイバータ層３２６の一部分に隣接して配置され得る。マイクロポンプ３１６、ＲＦＩＤアンテナ３１２、および第１のプロセッサ３１４が適用され得る。本明細書で述べた構成要素はまた、ドレッシング積層体として予め組み立てられ得る。
【００７５】
シール部材３２０を使用して、密閉空間３１８を形成するシールを生成する。ベースユニット３０６を使用して、既に述べたように、ＲＦＩＤアンテナ３１２にポンプ信号を送信し、ポンプ信号は第１のプロセッサ３１４によって受信され、かつマイクロポンプ３１６に電力を供給するために使用される。第１のプロセッサ３１４は、電力または１つ以上のバッテリー、例えば再充電可能なバッテリーを保持するために１つ以上のコンデンサをさらに含んでもよい。ポンプ信号は、マイクロポンプ３１６によって減圧が発生されるようにする。減圧は組織部位３０２に伝達されて、流体を除去するまたは減圧療法をもたらす。組織部位３０２から除去された流体は、減圧ドレッシング３０４内において吸収層３１０に伝達され、そこで、流体は保持されるかまたは実質的に保持される。図１２に関連して説明するように、圧力感知装置は無線減圧ドレッシング３０４の一部として含まれ、ベースユニット３０６に圧力メッセージ信号をもたらしてもよい。
【００７６】
ここで主に図１２を参照して、減圧システム３００の別の例示的実施形態を説明する。既に述べたように、減圧システム３００は、無線減圧ドレッシング３０４およびベースユニット３０６を含む。図１２の減圧システム３００は、無線減圧ドレッシング３０４が含む構成要素数が少数であること、および無線減圧ドレッシング３０４が、第１のプロセッサ３１４に電気的に結合された圧力感知装置３４０を追加で含むことを除いて、図９〜１１に示すシステムと類似している。さらに、任意選択的なバッテリー３４２が含まれる。バッテリー３４２は、ＲＦＩＤアンテナ３１２によってもたらされた電力を補い得るか、または主電源として使用されて、ＲＦＩＤアンテナ３１２によって再充電され得る。ＲＦＩＤアンテナ３１２は、ベースユニット３０６から電力を受信する。シール部材３２０は、取付装置３４６によって表皮３４４に固定されて示す。図９〜１１で説明したドレッシングに含まれた構成要素には同じ参照符号を付し、ここでは必ずしもさらに説明をしない。
【００７７】
例示的実施形態によれば、動作中、図１２の減圧システム３００は、組織部位３０２に隣接してインターフェース分配マニホールド３０８をまず適用することによって使用され得る。吸収層３１０は、インターフェース分配マニホールド３０８と流体連通して配置され得る。気液分離装置３３０は吸収層３１０の上側に配置され得る。その後、ＲＦＩＤアンテナ３１２、圧力感知装置３４０、第１のプロセッサ３１４、マイクロポンプ３１６、およびバッテリー３４２が気液分離装置３３０上に配置される。あるいは、構成要素のいくつか、例えばマイクロポンプ３１６が、気液分離装置３３０に隣接し得る。シール部材３２０は、組織部位３０２の上側を覆って適用されて密閉空間３１８を形成し、かつ上述の構成要素を全て覆う。既に説明した構成要素は、全部または部分的に予め組み立てられ得る。ベースユニット３０６は、減圧ドレッシング３０４にポンプ信号またはポンプ作動信号を送信し、それによりマイクロポンプ３１６を作動させる。マイクロポンプ３１６は、密閉空間３１８から空気または他の流体を除去し、それにより、減圧による組織部位３０２の治療を開始する。
【００７８】
ベースユニット３０６からＲＦＩＤアンテナ３１２へポンプ作動信号またはポンプ信号を供給することに加え、ベースユニット３０６はまた、圧力問合せ信号を送信し得る。圧力問合せ信号を受信すると、ＲＦＩＤアンテナ３１２、第１のプロセッサ３１４、および圧力感知装置３４０が圧力メッセージ信号を発生させ、それが、ＲＦＩＤアンテナによってベースユニット３０６のＲＦＩＤリーダ（明示せず）に送信される。ベースユニット３０６はプロセッサ（明示せず）を含み、そのプロセッサは、圧力メッセージ信号を受信し、かつマイクロポンプ３１６を作動させるまたはその動作を停止させるポンプ制御信号を発生させ得る。減圧が所望の治療範囲内にあるとき、マイクロポンプ３１６は、動作が停止され得る。同様に、圧力が絶対尺度で大きすぎる場合、ベースユニット３０６は、より減圧をもたらすように、マイクロポンプ３１６を作動させるまたは継続させるポンプ信号を送信し得る。所望の圧力に達しない経過時間が十分すぎるほど過ぎたら、警報がベースユニット３０６によってトリガされ得る。無線減圧ドレッシング３０４はガルバニ電池（明示せず）を含んで、滲出液または他の体液が２つの電極を電気的に結合すると、フル表示メッセージ信号をもたらす。フル表示メッセージ信号は、ＲＦＩＤアンテナ３１２によってベースユニット３０６に送信され、ドレッシングが満杯であることを示す。
【００７９】
ここで主に図１３を参照して、無線減圧ポンプ４３０を含む減圧ドレッシング４００の別の例示的実施形態を説明する。減圧ドレッシング４００は分解図として示し、患者４０４の組織部位４０２、例えば創傷を覆う。減圧ドレッシング４００は、組織部位４０２に近接して配置されるインターフェース分配マニホールド４０６を含む。インターフェース分配マニホールド４０６は、任意のマニホールド材料、例えばＧｒａｎｕＦｏａｍ（登録商標）材、または既に説明した任意の他のマニホールド材料から形成され得る。
【００８０】
減圧ドレッシング４００は、下部ドレープまたはダイバータ４０８をさらに含む。下部ドレープ４０８は、下側面（組織対面側面）に接着剤を有するポリエチレン材料とし、治療される組織部位４０２を取り囲んで患者４０４に付着し得る。下部ドレープ４０８は、アパーチャまたは穿孔を含み、インターフェース分配マニホールド４０６を通して組織部位４０２に減圧を伝えかつ組織部位４０２から創傷液（液体または気体）を引き出し得る。下部ドレープ４０８はまたシールリング４１０を含み、追加的な接着強度をもたらして、減圧を所望の治療レベルに維持し得る。最初はシールリング４１０を保護用剥離ライナー４１２が覆っている。下部ドレープ４０８が患者４０４に位置決めされる前に、保護用剥離ライナー４１２を下部ドレープ４０８の下側から取り外す。
【００８１】
減圧ドレッシング４００は、不織ファブリックとし得る吸収層４１４を含み、下部ドレープ４０８のアパーチャを通って引き込まれる創傷液を吸収する。吸収層４１４は、創傷液を吸収層４１４に逃がすおよび分配する２つのウィッキング層４１６と４１８との間に挟まれている。ウィッキング層４１６、４１８の高密度側は、吸収層４１４から外方に向いている。ウィッキング層４１６、４１８はそれらの間に吸収層４１４を挟み、流体貯蔵装置４２０を形成する。
【００８２】
減圧ドレッシング４００は、ポリエチレンで形成された無孔の閉鎖的バリアとし得る上部ドレープ４２２をさらに含む。上部ドレープ４２２の平滑側は、上部ウィッキング層４１６に対面している。上部ドレープ４２２は、アパーチャまたは開口部４２４を含む。アパーチャまたは開口部４２４は、吸収層４１４内に創傷液や滲出液を含ませるために液体から空気を分離する疎水性フィルタ４２６によって覆われ得る。疎水性フィルタ４２６は、同時に、疎水性フィルタ４２６に減圧が行われる結果、吸収層４１４からのガスの流れを可能にする。上部ドレープ４２２および疎水性フィルタ４２６は、流体貯蔵装置４２０を覆う減圧ドレッシング４００の最上層４２８を含む。剥離ライナー４１２を除く上述のドレッシングアセンブリの要素は全て、まとめて、減圧ドレッシング４００の「創傷ドレッシング」部分と呼ぶ。
【００８３】
減圧ドレッシング４００は、無線減圧ポンプ、またはポンプ部分４３０をさらに含む。ポンプ部分４３０は、上部ドレープ４２２の上部に位置決めされたマイクロポンプアセンブリ４３２を含み、疎水性フィルタ４２６、流体貯蔵装置４２０、およびインターフェース分配マニホールド４０６を通して空気を引き出す減圧をもたらす。マイクロポンプアセンブリ４３２は圧電ディスクポンプ４３４を含み、この圧電ディスクポンプは、予め定められた周波数で振動して、圧電ディスクポンプ４３４の入力側で所望の減圧を生成する。圧電ディスクポンプ４３４は、図１２のマイクロポンプ３１６に類似し得る。マイクロポンプアセンブリ４３２の圧電ディスクポンプ４３４は、上部ドレープ４２２の下側で組織部位４０２から吸収層４１４に引き込まれた液体が少しでも圧電ディスクポンプ４３４の入力ポートに入ると、動作しないとし得る。疎水性フィルタ４２６は、創傷液や滲出液がマイクロポンプアセンブリ４３２の圧電ディスクポンプ４３４に流入しないようにする。
【００８４】
減圧ドレッシング４００はまた、疎水性フィルタ４２６と圧電ディスクポンプ４３４の流入口との間に位置決めされたスペーサーリングまたはリングシール４３６を含み、マイクロポンプアセンブリ４３２の圧電ディスクポンプ４３４に空気の流れのための空洞をもたらし得る。マイクロポンプアセンブリ４３２は、第１の発泡体クッション４３８と第２の発泡体クッション４４０との間に挟まれ得る。マイクロポンプアセンブリ４３２、第１のクッション４３８、および第２のクッション４４０は、外側プライ４４２と内側プライ４４４との間に挟まれ、かつ上部ドレープ４２２に取り外し可能に取り付けられる単一の複合パッケージを形成する。外側プライ４４２は、マイクロポンプアセンブリ４３２の排出用の排出経路をもたらすアパーチャまたは穿孔４４６を含む。
【００８５】
圧電ディスクポンプ４３４または他のマイクロポンプは、第１のプロセッサ４４８および他の制御電子回路によって制御され得る。圧電ディスクポンプ４３４は、第１のパワーユニット４５０および第２のパワーユニット４５２によって電力供給され得る。パワーユニット４５０、４５２はバッテリーとし得る。別の代替的な実施形態では、第１のパワーユニット４５０または第２のパワーユニット４５２は、第１のプロセッサ４４８および圧電ディスクポンプ４３４に電力を供給するＲＦＩＤアンテナを含み得る。
【００８６】
実施形態によれば、減圧によって組織部位を治療するシステムは、組織部位に近接して配置される減圧ドレッシング；および減圧ドレッシングに流体的に結合された無線減圧ポンプを含む。無線減圧ポンプは、ＲＦＩＤアンテナと、ＲＦＩＤアンテナに結合された第１のプロセッサと、第１のプロセッサに結合されてそこから電力を受信しかつ減圧を発生させるマイクロポンプ装置と、マイクロポンプ装置に流体的に結合された液溜めとを含む。システムは、ＲＦＩＤリーダを有するベースユニットをさらに含む。ＲＦＩＤリーダは、ＲＦＩＤアンテナに電力をもたらし、マイクロポンプ装置に電力供給を行うように構成される。システムは、第１のポンプシール部材および第２のポンプシール部材をさらに含み得る。第１のポンプシール部材および第２のポンプシール部材は、少なくとも部分的に結合されてポンプ用パウチを形成し、そこにマイクロポンプ装置が配置される。無線減圧ポンプは、ＲＦＩＤアンテナ以外の動力源がない状態で機能する。無線減圧ポンプは、組織部位における圧力を感知するために減圧ドレッシングおよび第１のプロセッサに流体的に結合された圧力感知装置をさらに含む。無線減圧ポンプは、第１のプロセッサに結合された圧力感知装置をさらに含む。ベースユニットは、ＲＦＩＤリーダに結合された第２のプロセッサをさらに含み、かつ、第２のプロセッサおよびＲＦＩＤリーダは、無線減圧ポンプの第１のプロセッサに圧力問合せ信号を送信しかつそれに応答して第１のプロセッサから圧力メッセージ信号を受信するように構成され得る。
【００８７】
前段落で説明したシステムに関して、無線減圧ポンプは、第１のプロセッサに結合された圧力感知装置をさらに含み得る。ベースユニットは、ＲＦＩＤリーダに結合された第２のプロセッサを含み得る。第２のプロセッサおよびＲＦＩＤリーダは、無線減圧ポンプの第１のプロセッサに圧力問合せ信号を送信しかつそれに応答して第１のプロセッサから圧力メッセージ信号を受信するように構成し得る。第１のプロセッサおよび圧力感知装置は、圧力問合せ信号に応答して圧力メッセージ信号を準備するように構成し得る。第１のプロセッサおよびＲＦＩＤアンテナは、圧力メッセージ信号を送信するように構成し得る。および、第２のプロセッサは、圧力メッセージ信号を受信し、制御信号を準備するように構成し得る。第２のプロセッサおよびＲＦＩＤは、無線減圧ポンプに制御信号を送信して、マイクロポンプ装置を作動または動作停止させる制御信号をもたらすように構成し得る。
【００８８】
前段落で説明したシステムに関して、無線減圧ポンプは、第１のプロセッサに結合された圧力感知装置をさらに含み得る。圧力感知装置は、圧力メッセージ信号を生成するように動作可能である。第１のプロセッサは、圧力メッセージ信号を受信しかつ制御信号を生成してマイクロポンプ装置を作動させるまたはその動作を停止させるように動作可能である。
【００８９】
前段落で説明したシステムの別の実施形態では、システムは、減圧ドレッシングおよび第１のプロセッサに流体的に結合されて組織部位における圧力を感知する圧力感知装置と；第１の分配マニホールドと、吸収層と、ダイバータ層と、ポンプシール部材と、第２のポンプシール部材とをさらに含み、第１の分配マニホールド、吸収層、およびダイバータ層が、ポンプシール部材および第２のポンプシール部材によって形成されるポンプ用パウチ内に配置され；マイクロポンプ装置が圧電ポンプを含む。減圧ドレッシングは、組織部位に近接して配置されるインターフェース分配マニホールドと、ドレッシングシール部材と、減圧インターフェースとを含む。一実施形態では、ＲＦＩＤアンテナは、ベースユニットから５センチメートル未満のところにある。
【００９０】
別の例示的実施形態によれば、無線減圧ポンプは、第１のチャンバおよび第２のチャンバを形成する少なくとも１つの壁部材と；ＲＦＩＤアンテナと；ＲＦＩＤアンテナに結合された第１のプロセッサと；第１のプロセッサに結合されてそこから電力を受信しかつ減圧および正圧を発生させるマイクロポンプ装置とを含む。マイクロポンプ装置は、第１のチャンバに流体的に結合されてそこに正圧を排出する通気口と、第２のチャンバに流体的に結合されてそこに減圧を供給する流入口とを有する。ポンプは、第１のチャンバに流体的に結合された複数の膨張式支持部材と；第２のチャンバを含む液溜めとをさらに含む。ポンプは、第１のチャンバに流体的に結合された第１の圧力逃がし弁をさらに含み得る。第１の圧力逃がし弁は、第１の閾値圧力を上回る正圧を放出するように動作可能である。第１のチャンバおよび第２のチャンバは、ピラミッドの一部分の形状とし得る。ポンプは、ＲＦＩＤアンテナ以外の動力源がない状態で機能し得る。
【００９１】
別の例示的実施形態によれば、減圧によって患者の組織部位を治療するシステムの製造方法は、組織部位に近接して配置される減圧ドレッシングを提供するステップと、無線減圧ポンプを提供するステップとを含む。無線減圧ポンプは：ＲＦＩＤアンテナと、ＲＦＩＤアンテナに結合された第１のプロセッサと、第１のプロセッサに結合されてそこから電力を受信しかつ減圧を発生させるマイクロポンプ装置と、マイクロポンプ装置に流体的に結合された液溜めとを含む。この方法は、ＲＦＩＤリーダを有するベースユニットを提供するステップをさらに含む。ＲＦＩＤリーダは、ＲＦＩＤアンテナに電力をもたらし、マイクロポンプ装置に電力供給を行うように構成し得る。この製造方法は、第１のポンプシール部材および第２のポンプシール部材をさらに含み得る。第１のポンプシール部材および第２のポンプシールは、少なくとも部分的に結合されてポンプ用パウチを形成し、そこにマイクロポンプ装置が配置される。この製造方法は、無線減圧ポンプを減圧ドレッシングに流体的に結合する減圧導管を設けるステップをさらに含み得る。この製造方法は、圧力感知装置を提供するステップと、圧力感知装置を減圧ドレッシングに結合するステップとをさらに含む。
【００９２】
別の例示的実施形態によれば、減圧によって患者の組織部位を治療する方法は、組織部位に近接して減圧ドレッシングを配置するステップと、無線減圧ポンプを提供するステップとを含む。無線減圧ポンプは：ＲＦＩＤアンテナと、ＲＦＩＤアンテナに結合された第１のプロセッサと、第１のプロセッサに結合されてそこから電力を受信しかつ減圧を発生させるマイクロポンプ装置と、マイクロポンプ装置に流体的に結合された液溜めとを含む。この方法はまた、無線減圧ポンプを減圧ドレッシングに流体的に結合するステップと；ＲＦＩＤリーダおよび第２のプロセッサを有するベースユニットを提供するステップと；ベースユニットを作動させ、それにより、ＲＦＩＤリーダおよび第２のプロセッサが無線減圧ポンプに作動信号を送信して、無線減圧ポンプを作動させるステップとを含む。無線減圧ポンプは、第１のポンプシール部材および第２のポンプシール部材をさらに含み得る。第１のポンプシール部材および第２のポンプシールは、少なくとも部分的に結合されてポンプ用パウチを形成し、そこにマイクロポンプ装置が配置される。マイクロポンプ装置が必要とする電力は全て、ＲＦＩＤリーダによって供給され得る。この方法は、無線減圧ポンプのＲＦＩＤアンテナから５センチメートル以内にＲＦＩＤリーダを配置するステップをさらに含み得る。
【００９３】
前段落の方法に関して、無線減圧ポンプは、ＲＦＩＤアンテナ以外の動力源が設置されておらず、および無線減圧ポンプは：減圧ドレッシングおよび第１のプロセッサに流体的に結合されて組織部位における圧力を感知する圧力感知装置と、第１の分配マニホールドと、吸収層と、ダイバータ層とをさらに含む。第１の分配マニホールド、吸収層、およびダイバータ層は、第１のポンプシール部材および第２のポンプシール部材によって形成されたポンプ用パウチ内に配置され得る。マイクロポンプ装置は圧電ポンプとし得る。減圧ドレッシングは：組織部位に近接して配置されるインターフェース分配マニホールドと、ドレッシングシール部材と、減圧インターフェースとを含み得る。
【００９４】
別の例示的実施形態によれば、減圧によって組織部位を治療する減圧システムは：組織部位に近接して配置されるインターフェース分配マニホールドと、インターフェース分配マニホールドから流体を受け取って保持する吸収部材と、ＲＦＩＤアンテナと、ＲＦＩＤアンテナに結合された第１のプロセッサと、第１のプロセッサに結合されてそこから電力を受信しかつ減圧を発生させるマイクロポンプ装置であって、流入口および排出口を有するマイクロポンプ装置と、組織部位を覆って密閉空間を形成する第１のシール部材と、マイクロポンプ装置の排出口を外部に流体的に結合する通気口とを含む無線減圧ドレッシングを含む。マイクロポンプは、密閉空間に流体的に結合され、そこに減圧を供給する。システムは、ＲＦＩＤリーダを含むベースユニットをさらに含む。ベースユニットは、ポンプ信号を無線減圧ドレッシングに供給して、マイクロポンプ装置を付勢するように動作可能である。システムは、第１のプロセッサに結合された無線減圧ドレッシングに第１の圧力センサをさらに含む。第１のプロセッサおよびＲＦＩＤアンテナは、圧力問合せ信号を受信しかつ圧力メッセージ信号を生成してベースユニットに送信するように動作可能である。
【００９５】
前段落で説明したシステムの別の実施形態では、システムは、第１のプロセッサに結合される無線減圧ドレッシングの第１の圧力センサをさらに含み得る。第１のプロセッサおよびＲＦＩＤアンテナは、圧力問合せ信号を受信しかつ圧力メッセージ信号を生成してベースユニットに送信するように動作可能である。ベースユニットは第２のプロセッサをさらに含む。第２のプロセッサは、圧力メッセージ信号を受信しかつポンプ制御信号を生成するように動作可能である。
【００９６】
前段落で説明したシステムの別の実施形態では、システムは、第１のプロセッサに結合される無線減圧ドレッシングに第１の圧力センサをさらに含んでもよく、および第１のプロセッサは、第１の圧力センサから圧力メッセージ信号を受信しかつ制御信号を生成してマイクロポンプ装置を制御するように構成される。前段落で説明したシステムの別の実施形態では、無線減圧ポンプは、ＲＦＩＤアンテナ以外の動力源がない状態で機能し得る。さらに、減圧ドレッシングに供給される減圧のみが、マイクロポンプ装置からのものとし得る。このシステムは、導管またはワイヤが無線減圧ドレッシングに結合されないように組み立てられ得る。
【００９７】
別の例示的実施形態によれば、減圧によって患者の組織部位を治療する方法は、組織部位に近接して無線減圧ドレッシングを配置するステップを含む。無線減圧ドレッシングは、組織部位に近接して配置されるインターフェース分配マニホールドと、インターフェース分配マニホールドから流体を受け取って保持する吸収部材と、ＲＦＩＤアンテナと、ＲＦＩＤアンテナに結合された第１のプロセッサと、第１のプロセッサに結合されてそこから電力を受信しかつ減圧を発生させ、かつ流入口および排出口を有するマイクロポンプ装置と、組織部位を覆いかつ密閉空間を形成する第１のシール部材と、排出口を外部に流体的に結合する通気口とを含む。この方法は、ＲＦＩＤリーダを含むベースユニットを提供するステップであって、ベースユニットが、無線減圧ドレッシングにポンプ信号を供給してマイクロポンプ装置を付勢するように構成されているステップと；ベースユニットを作動させて無線減圧ドレッシングにポンプ信号を供給するステップとをさらに含む。
【００９８】
別の例示的実施形態によれば、無線減圧ポンプであって、無線減圧ポンプが、ＲＦＩＤアンテナと；ＲＦＩＤアンテナに結合された第１のプロセッサと；第１のプロセッサに結合されてそこから電力を受信しかつ減圧を発生させるマイクロポンプ装置とを含む。無線減圧ポンプは、マイクロポンプ装置に流体的に結合された液溜めをさらに含み得る。無線減圧ポンプはまた、第１のポンプシール部材および第２のポンプシール部材をさらに含んでもよく、第１のポンプシール部材および第２のポンプシールは少なくとも部分的に結合してポンプ用パウチを形成し、そこにマイクロポンプ装置が配置される。無線減圧ポンプは、ＲＦＩＤアンテナ以外の動力源がない状態で機能し得る。無線減圧ポンプは、減圧ドレッシングおよび第１のプロセッサに流体的に結合されて組織部位における圧力を感知する圧力感知装置をさらに含み得る。
【００９９】
前段落の無線減圧ポンプに関して、ポンプは、第１のプロセッサに結合された圧力感知装置と、ＲＦＩＤリーダに結合された第２のプロセッサを含むベースユニットとをさらに含み得る。第２のプロセッサおよびＲＦＩＤリーダは、無線減圧ポンプの第１のプロセッサに圧力問合せ信号を送信しかつそれに応答して第１のプロセッサから圧力メッセージ信号を受信するように構成され得る。
【０１００】
前段落の無線減圧ポンプに関して、無線減圧ポンプは、第１のプロセッサに結合された圧力感知装置と、ＲＦＩＤリーダに結合された第２のプロセッサを含むベースユニットとをさらに含み得る。第２のプロセッサおよびＲＦＩＤリーダは、無線減圧ポンプの第１のプロセッサに圧力問合せ信号を送信しかつそれに応答して第１のプロセッサから圧力メッセージ信号を受信するように構成され得る。第１のプロセッサおよび圧力感知装置は、圧力問合せ信号に応答して圧力メッセージ信号を準備するように構成される。第１のプロセッサおよびＲＦＩＤアンテナは、圧力メッセージ信号を送信するように構成される。第２のプロセッサは、圧力メッセージ信号を受信し、制御信号を準備するように構成され、および第２のプロセッサおよびＲＦＩＤは、無線減圧ポンプに制御信号を送信し、マイクロポンプ装置を作動または動作停止させるための制御信号をもたらすように構成される。無線減圧ポンプは、第１のプロセッサに結合された圧力感知装置をさらに含んでもよく；圧力感知装置は、圧力メッセージ信号を生成するように動作可能であり、および第１のプロセッサは、圧力メッセージ信号を受信しかつ制御信号を生成してマイクロポンプ装置を作動させるまたはその動作を停止させるように動作可能である。
【０１０１】
一般論として、患者の組織部位に減圧をもたらすシステム、方法、およびドレッシングは、減圧ポンプに無線で電力をもたらすことを含むと説明される。一例では、ＲＦＩＤアンテナを使用して、導管によって減圧ドレッシングに流体的に結合された減圧ポンプに電力供給する。別の例では、減圧ドレッシングは、マイクロポンプと、マイクロポンプに電力供給するのに使用されるＲＦＩＤアンテナとを含む。本明細書では他のシステム、方法、および装置が説明される。
【０１０２】
本発明およびその利点を、いくつかの例示的非限定的な実施形態に照らして説明したが、添付の特許請求の範囲によって定義された本発明の範囲から逸脱せずに、様々な変更、代用、交換、および修正をなすことができることを理解されたい。任意の一実施形態に関連して説明された任意の特徴はまた、任意の他の実施形態にも適用可能であることを理解されたい。
【０１０３】
上述の利益および利点は、一実施形態に関連し得ること、またはいくつかの実施形態に関連し得ることを理解されたい。「１つの」品目への言及は、１つ以上のそれら品目を指すことをさらに理解されたい。
【０１０４】
本明細書で説明した方法のステップは、任意の好適な順序で、または適切な場合には同時に実施し得る。
【０１０５】
適切な場合には、上述の実施形態のいずれかの態様を、説明の任意の他の実施形態の態様と組み合わせて、類似のまたは異なる特性を有しかつ同じまたは異なる問題に対処する別の例を形成する。
【０１０６】
好ましい実施形態の上述の説明は例示にすぎず、当業者は様々な修正をなし得ることを理解されたい。上述の明細書、例およびデータは、本発明の例示的な実施形態の構造および使用の完全な説明を提供する。本発明の様々な実施形態を、ある程度詳細に、または１つ以上の個々の実施形態を参照して上記で説明したが、当業者は、特許請求の範囲から逸脱せずに、開示の実施形態に多数の修正をなすことができる。
【図１】
0005843296.tif 000002
【図２】
0005843296.tif 000003
【図３】
0005843296.tif 000004
【図４】
0005843296.tif 000005
【図５】
0005843296.tif 000006
【図６】
0005843296.tif 000007
【図７】
0005843296.tif 000008
【図８】
0005843296.tif 000009
【図９】
0005843296.tif 000010
【図１０】
0005843296.tif 000011
【図１１】
0005843296.tif 000012
【図１２】
0005843296.tif 000013
【図１３】
0005843296.tif 000014